(57)【要約】  本発明は、表面処理された粒状無機材料を製造する方法に関し、より詳細には、1つ以上のシルセスキオキサンで被覆された、膨張パーライトまたは膨張粘土などの軽量粒状無機材料を製造する方法に関する。本発明による表面処理された粒状無機材料は、モルタル、石こう、セメントおよび軽量コンクリートなどの建築材料への導入に適しており、緩め嵩密度を低下させ、混合物の機械的強度を向上させる。
2018528924.tif 000002
【特許請求の範囲】
【請求項１】
表面処理された粒状無機材料の製造方法であって、
前記方法が、以下のステップ：
粒状無機材料を準備するステップ；および
前記粒状無機材料を少なくとも1つの表面処理剤を含む組成物と接触させ、それによって表面処理された粒状無機材料を得るステップを含み、
前記少なくとも1つの表面処理剤が有機−無機ハイブリッドポリマーであり；
前記有機−無機ハイブリッドポリマーが、以下のステップを含むプロセスによって得ることができるポリマーの群から選択される：
a）下記一般式：(X-L-)nSi(-Y)4-nによって表されるシランの群から選択される一種のシランの制御された加水分解および縮合によってポリマーを形成するステップ；または
下記一般式：(X-L-)nSi(-Y)4-nによって表されるシランの群から独立して選択される少なくとも異なる2種のシランの制御された加水分解および縮合によってポリマーを形成するステップ；
ここで、
Xが-NR1R2、-N=C=O、SHまたはOHであり；
R1およびR2が、水素；直鎖、分岐または環状であり得る非置換または置換の飽和または不飽和C1〜C25炭化水素基；脂肪族または芳香族カルボニル；および置換もしくは非置換のアリールからなる群から独立して選択された残基であり；
ここで、前記残基の炭素鎖が、酸素、窒素、硫黄、リン、ケイ素またはホウ素のうちの1つ以上の元素を任意に含むことができ；またはR1およびR2が、酸類、アルコール類、フェノール類、アミン類、アルデヒド類またはエポキシド類などの1種以上の化学物質の縮合生成物、付加生成物からなる群から独立して選択され；
nが1または2であり；
Lが、直接結合；または直鎖、分岐または環状であり得る非置換または置換の飽和または不飽和C1〜C25炭化水素基；および置換または非置換のアリーレンからなる群から選択される残基であり；
ここで、前記残基の炭素鎖が、酸素、窒素、硫黄、リン、ケイ素またはホウ素のうちの1つ以上の元素を任意に含むことができ；
Yが加水分解性基またはOHであるステップ；
b）Xが-NR1R2であり、R1およびR2の少なくとも1つが選択されたシランまたは選択されたシランの少なくとも1つに対してのHである場合；またはXが、選択されたシランまたは選択されたシランの少なくとも1つに対しての-N=C=O、SHまたはOHである場合、
X基の原子と反応物の少なくとも1つの原子との間に共有結合を形成することができる少なくとも1つの反応物を添加するステップ；
少なくとも1つの反応物が、環状無水物および式R-Zの化合物からなる群から選択される化合物であり、
ここで、Rが、直鎖、分岐または環状であり得る非置換または置換の飽和または不飽和C1〜C25炭化水素基；脂肪族または芳香族カルボニル；および置換もしくは非置換のアリールからなる群から選択される残基であり；
ここで、前記残基の炭素鎖が、酸素、窒素、硫黄、リン、ケイ素またはホウ素のうちの1つ以上の元素；または酸類、アルコール類、フェノール類、アミン類、アルデヒド類またはエポキシド類などの1種以上の化学物質の縮合生成物、付加生成物からなる群から選択される残基を任意に含むことができ；
Zが、アルコキシル、アリールオキシ、シクロアルコキシ、カルボキシル、ホルミル、ハロゲン化アシル、イソシアネート、ヒドロキシル、アミン、エポキシド、エステルおよびハロゲンからなる群から選択される残基であるステップ；
c）Xが、選択されたシランまたは選択されたシランの少なくとも1つに対しての-NR1R2である場合、
必要に応じて、前記X基のN原子を第四級ニトロニウムイオンに変換することができる酸を添加するステップを含む、方法。
【請求項２】
前記粒状無機材料が、パーライト、膨張パーライト、ベントナイト、ケイソウ土、シリカ、重晶石、ジプサム、石灰石、カオリン、粘土、膨張粘土、バイオ炭、マイカ、タルク、バーミキュライト、合成カルシウムシリケート水和物、天然ケイ酸塩、フライアッシュ、ガラスなどの火山灰や他の火山生成物、スラグ、軽石、頁岩、合成ケイ酸塩、アルミノケイ酸塩、ケイソウ土、ウォラストナイト、スレート、膨張スレート；またはそれらの任意の混合物からなる群から選択される、請求項1に記載の方法。
【請求項３】
前記粒状無機材料が、10〜950kg/m3の範囲の有効粒子密度または緩め嵩密度を有する、請求項1に記載の方法。
【請求項４】
前記粒状無機材料が、30〜150kg/m3の範囲の有効粒子密度または緩め嵩密度を有する、請求項1に記載の方法。
【請求項５】
前記粒状無機材料を少なくとも1つの表面処理剤を含む組成物と接触させるステップが、少なくとも1つの表面処理剤を含む組成物の少なくとも1層を前記粒状無機材料上に塗布することを含む、請求項1に記載の方法。
【請求項６】
粒状無機材料：表面処理剤の比が99.9:0.1pbw〜70:30pbwの範囲内である、請求項1に記載の方法。
【請求項７】
Xが-NR1R2である、請求項1に記載の方法。
【請求項８】
Xが、選択されたシランの少なくとも1つに対しての-NR1R2である、請求項1に記載の方法。
【請求項９】
Lが、直鎖、分岐または環状であり得る非置換または置換の飽和または不飽和C1〜C25炭化水素基；および置換または非置換のアリーレンからなる群から選択される残基であり；ここで、前記残基の炭素鎖が、酸素、窒素、硫黄、リン、ケイ素またはホウ素の1つ以上の元素を任意に含むことができる、請求項1に記載の方法。
【請求項１０】
Lが、直鎖、分岐または環状であり得る非置換または置換の飽和または不飽和C1〜C25炭化水素基；および置換または非置換のアリーレンからなる群から選択される残基であり；ここで、前記残基の炭素鎖が、選択されたシランの少なくとも1つに対しての酸素、窒素、硫黄、リン、ケイ素またはホウ素の1つ以上の元素を任意に含むことができる、請求項1に記載の方法。
【請求項１１】
YがOHまたはアルコキシル、アリールオキシル、カルボキシルおよびハロゲンからなる群から選択される加水分解性基である、請求項1に記載の方法。
【請求項１２】
YがOHまたは選択されたシランの少なくとも1つに対してのアルコキシル、アリールオキシル、カルボキシルおよびハロゲンからなる群から選択される加水分解性基である、請求項1に記載の方法。
【請求項１３】
前記少なくとも1つの反応物が、無水フタル酸などの環状無水物、サリチル酸メチルなどのC1〜C25サリチル酸塩、飽和または不飽和C1〜C25脂肪酸、4−ヒドロキシ安息香酸メチルなどのC1〜C254−ヒドロキシ安息香酸エステル、乳酸メチルなどの有機酸から形成される一塩基性エステル、およびエポキシドからなる群から選択される、請求項1に記載の方法。
【請求項１４】
前記粒状無機材料が、膨張パーライトであり；
前記ポリマーが、下記一般式：(X-L-)nSi(-Y)4-nによって表されるシランの群から選択される一種のシランの制御された加水分解および縮合によって形成され；
XがNH2であり；
nが1であり；
Lが-CH2-CH2-CH2-であり；および
Yが-O-CH2-CH3である、請求項1に記載の方法。
【請求項１５】
前記少なくとも1つの反応物がベヘン酸である、請求項14に記載の方法。
【請求項１６】
前記少なくとも1つの表面処理剤を含む組成物が、少なくとも1つの表面処理剤を含む水性組成物である、請求項1に記載の方法。
【請求項１７】
前記少なくとも1つの表面処理剤を含む水性組成物が、少なくとも1つの乳化剤をさらに含む、請求項16に記載の方法。
【請求項１８】
前記少なくとも1つの表面処理剤を含む組成物が、少なくとも1つの乳化剤を用いて水中で乳化される、請求項1に記載の方法。
【請求項１９】
前記粒状無機材料が、透明材料ではなく、特にガラスでない、請求項1に記載の方法。
【請求項２０】
前記プロセスステップa）〜c）によって得られたポリマーのX基が、疎水性表面を有するポリマーをもたらし；前記プロセスステップa）〜c）により得られたポリマーに、前記ポリマーの疎水性表面を分解する熱処理を施さない、請求項1に記載の方法。
【請求項２１】
前記プロセスステップa）〜c）によって得られたポリマーのX基が、疎水性表面を有するポリマーをもたらし；前記表面処理された粒状無機材料に、前記粒状無機材料に付着した前記ポリマーの疎水性表面を分解する熱処理を施さない、請求項1に記載の方法。
【請求項２２】
前記表面処理された粒状無機材料がか焼されない、請求項1に記載の方法。
【請求項２３】
前記表面処理された粒状無機材料および／または前記プロセスステップa）〜c）によって得られたポリマーが、300℃を超える温度で熱処理されない、請求項1に記載の方法。
【請求項２４】
前記ステップa）〜c）を含むプロセスが、金属アルコキシドを添加するその後のステップを含まない、請求項1に記載の方法。
【請求項２５】
前記少なくとも1つの表面処理剤を含む組成物に金属アルコキシドを添加しない、請求項1に記載の方法。
【請求項２６】
前記有機−無機ハイブリッドポリマーが、30nm未満、例えば1nm〜29nmまたは1nm〜20nmの平均粒径を有する、請求項1に記載の方法。
【請求項２７】
前記ステップa）〜c）により調製された有機−無機ハイブリッドポリマーが、前記少なくとも1つの表面処理剤の平均粒径の80％未満の平均粒径を有する他のポリマーに共有結合しない、請求項1に記載の方法。
【請求項２８】
請求項1〜27のいずれか一項に記載の方法によって得ることができる表面処理された粒状無機材料。
【請求項２９】
請求項28に記載の表面処理された粒状無機材料における、建築材料と混合して、または前記建築材料における添加剤としての使用であって、前記建築材料は、好ましくは、石こう、セメント、軽量コンクリート、モルタル、人造石、レンガ、プラスチック、複合材料、塗料、コーティング、熱可塑性フォーム、および熱硬化性フォームからなる群から選択される、使用。
【請求項３０】
請求項28に記載の前記表面処理された粒状無機材料を含む建築材料であって、前記建築材料は、好ましくは、石こう、セメント、軽量コンクリート、モルタル、人造石、レンガ、プラスチック、複合材料、塗料、コーティング、熱可塑性フォーム、および熱硬化性フォームからなる群から選択される、建築材料。
【発明の詳細な説明】
【技術分野】
【０００１】
本発明は、表面処理された粒状無機材料を製造する方法に関し、より詳細には、1つ以上のシルセスキオキサンで被覆された、膨張パーライトまたは膨張粘土などの軽量粒状無機材料を製造する方法に関する。本発明による表面処理された粒状無機材料は、モルタル、石こう、セメントおよび軽量コンクリートなどの建築材料への導入に適しており、緩め嵩密度を低下させ、混合物の機械的強度を向上させる。
【背景技術】
【０００２】
従来の鉱物充填材などの粒状無機材料は、化学工業、建設業、製造業、自動車産業などの非常に重要な産業部門の必須原材料であるので、現代の産業化社会の発展において非常に重要な役割を果たしてきている。産業界で必要とされる様々な粒状無機材料の中で、膨張パーライトは、技術的および経済的観点から非常に重要である。
【０００３】
膨張パーライトは、商業的な量で商業的に実行可能な価格で入手可能な粒状軽量材料である。パーライトの膨張形態は、典型的には、パーライト鉱石、少量の水と結合した構造中のシリカおよび少量のアルミナを主成分とする火成鉱物の熱処理によって製造される。パーライト鉱石を通常870℃を超える温度に加熱すると、パーライト粒子が軟化し、含まれる水が急激に蒸発して構造から放出される。鉱石の大きさ、加熱速度および熱処理の温度を適切に選択すると、パーライト鉱石の約1100kg/m3の緩め嵩密度（lbd）と比較して約30〜150kg/m3の緩め嵩密度（lbd）を有する最終膨張生成物が得られる。
【０００４】
従来の膨張パーライトの比較的低いlbdは、モルタル、石こう、セメントおよび軽量コンクリートなどの建築材料への導入に適しており、混合物のlbdを低下させる。しかし、従来の膨張パーライトはいくつかの好ましい特性を有するが、その用途の範囲を限定し、膨張パーライト系最終生成物の品質に悪影響を与え得るいくつかの欠点をも特徴とする。
【０００５】
膨張パーライト系最終生成物の品質に悪影響を及ぼし得る1つの要因は、膨張パーライト粒子が水を吸収する能力である。膨張パーライト粒子が水と接触して配置される場合、水は、典型的に、表面の亀裂および割れ目に浸透し、膨張パーライト粒子の内部空気充填空洞に入る。混入した水は、膨張パーライトがその軽量特性の一部を失わせ得、モルタル、石こう、セメントおよび軽量コンクリートなどの建設材料と混合して、または建設材料における添加剤としてある程度の作業性で特定の強度を達成するために選択された混入水の注意深く算出した量を妨げ得る。このように、低密度の粒状無機材料、特に膨張パーライトを、水の摂取を低減して得ることが必要とされている。
【０００６】
低密度粒状無機材料、特に膨張パーライトを、水の摂取を減少させて得るための従来の努力は、その表面をシールする疎水性コーティングに日常的に集中してきた。したがって、低密度粒状無機材料にコーティングを施す原理は、それ自体本発明に特有のものではない。
【０００７】
特許文献１は、酸性水溶液を粒子に適用し、次いでケイ酸ナトリウム水溶液を適用し、その後別の酸処理を行い、被覆粒子を乾燥させることにより膨張パーライトを被覆するプロセスを開示している。
【０００８】
特許文献２および特許文献３は、予め膨張したパーライトをポリシロキサンのエマルジョンと接触させ、高温ガスの移動流などで被覆された粒子を乾燥させ、次いでオーブン内で288〜454℃の温度でさらに長時間熱処理してポリシロキサンを硬化および強化することによって得られた強化被覆膨張パーライトを開示する。
【０００９】
特許文献４には、膨張パーライトを疎水性材料、例えば、膨張パーライトを製造するプロセスと一体化されたポリメチルシロキサンの水希釈性エマルジョンで被覆、硬化することを開示する。
【００１０】
特許文献５は、膨張パーライトを撥水性にする水性シランおよび／またはそのオリゴマーの緩衝化エマルジョンを、その上、その中、またはその上およびその中に含有する膨張パーライト組成物を開示する。
【００１１】
他の粒状無機材料のコーティングも知られており、例えば、特許文献６は、高密度ミキサー中でこれらの固体を撹拌して硬化のために剪断摩擦温度を発生させ、被覆粒子を乾燥させながら、微粒子無機固体物にシランカップリング剤を噴霧することを開示する。
【００１２】
特許文献７は、形成排ガスから分離された後、高温のガラスビーズ上にシロキサン分散液を噴霧し、被覆ビーズを周囲空気に暴露して2〜24時間硬化させることによってシリコーン被覆ガラスビーズを製造することを開示する。
【００１３】
特許文献８は、建築材料を水性有機ポリシロキサン含有組成物に浸漬することによって石灰砂レンガ、レンガおよびモルタルのような建築材料を被覆するプロセスを開示する。被覆された建築材料は、非被覆建築材料と比較して水を吸収する傾向が低下する。水性有機ポリシロキサンは、水溶性アミノアルキルアルコキシシランを、水溶性ではない少なくとも1つのシランと混合することによって調製される。共重合体に、その後の疎水化ステップを施さず、したがって、表面上にかなりな数の親水性基を有する。これらの親水性基は、有機ポリシロキサンが水溶性のままであるために必須であると考えられている。
【００１４】
特許文献９は、反射防止膜の製造方法を開示する。第1のポリマーは、金属アルコキシド（テトラエトキシシラン）の加水分解および縮合によって調製される。第1のポリマーの平均粒径は、30〜200nmの範囲内であり、より好ましくは70〜150nmの範囲内である。平均粒径が下限未満であると、十分な反射防止性能が得られない。次いで、第1のポリマーをヘキサメチルジシロキサン（疎水化剤）と反応させて、表面がトリメチルシリル基で保護された金属酸化物骨格を有するナノ粒子を得る。これらの保護されたナノ粒子は、粒状無機材料と接触させず、代わりに金属アルコキシド（テトラエトキシシラン）、HClおよび水と混合し、室温で24時間インキュベートして混合ゾル分散液を形成する。微粒状でないガラス基板に、次いで、混合ゾル分散液を浸漬塗布し、ガラス基板の両面に塗膜を形成する。次いで、コーティングフィルムを500℃でか焼する。か焼の間、ナノ粒子の表面に導入された疎水性基（トリメチルシリル基）は分解され、メソポーラス透明材料と金属アルコキシドから形成されたナノ粒子との間に共有結合が形成される。疎水性表面を有することが好ましく、か焼後に得られる膜に疎水化処理を施すことが好ましい。
【先行技術文献】
【特許文献】
【００１５】
【特許文献１】米国特許第３，７６９，０６５号明細書
【特許文献２】米国特許第４，１８３，９８０号明細書
【特許文献３】米国特許第４，２５５，４８９号明細書
【特許文献４】米国特許第４，５２５，３８８号明細書
【特許文献５】米国特許第４，８８９，７４７号明細書
【特許文献６】米国特許第４，１４１，７５１号明細書
【特許文献７】米国特許第２，７３０，８４１号明細書
【特許文献８】欧州特許第０７１６１２８号明細書
【特許文献９】米国特許公開第２０１５／００７９３４８号明細書
【発明の概要】
【発明が解決しようとする課題】
【００１６】
膨張パーライト系最終生成物の品質に悪影響を及ぼし得る別の要因は、膨張パーライトの比較的低い機械的強度である。膨張パーライトなどの低密度工業用鉱物は、通常、気泡構造を有し、したがって、通常の粉砕された岩石よりも多孔質である。この多孔質構造は、これらの低密度粒状無機材料が典型的には比較的低い機械的強度を有する主な理由である。これらの構造がモルタル、石こう、セメントおよび軽量コンクリートなどの建築材料に導入される場合、建築材料は、典型的には、少なくともある程度、低密度粒状無機材料の特性を継承する。膨張パーライト系最終生成物の機械的強度にとって重要であることに加えて、膨張パーライトの機械的強度もまた、混合、ポンピングなどの間に低密度特性を保持するために重要である。機械的強度が満足できるものでなければ、混合、ポンピング等の間に多孔質構造が破壊され、その結果、膨張パーライト系最終生成物がその低密度特性を失う危険がある。このように、低密度粒状無機材料、特に、向上された機械的強度を有する膨張パーライトを得る必要がある。
【００１７】
低密度粒状無機材料自体の機械的強度は、構造材料の機械的強度に影響を及ぼし得るが、粒状無機材料とそれが導入される材料との間の結合も重要である。強力な結合は、典型的には比較的高い機械的強度に関連し、一方、弱い結合は、典型的には比較的低い機械的強度に関連する。このように、導入される材料との良好な結合を有する低密度粒状無機材料を得る必要がある。
【００１８】
粒状無機材料と、それが導入される材料との間の結合を改善するために粒状無機材料に疎水性コーティングを適用する原理は、従来技術において十分に検討されてきたが、表面コーティングの耐久性は、今までのところ多くの留意がなされていない。耐久性が不十分であると、コーティングは容易に洗い落とされ、その結果、コーティングによってもたらされる特性が短時間で失われる。したがって、長期間の効果を確実にするためには、満足のいく耐久性が最も重要である。
【００１９】
この技術分野における最近の著しい進歩にもかかわらず、i）低密度粒状無機材料の吸水能力を低下させる、ii）低密度粒状無機材料の機械的強度を改善する、iii）低密度粒状無機材料系最終生成物の機械的強度を改善する新しい特徴を発見する必要がある。
【課題を解決するための手段】
【００２０】
本発明の第1の態様は、表面処理された粒状無機材料の製造方法に関し、方法が、以下のステップ：
粒状無機材料を準備するステップ；粒状無機材料を少なくとも1つの表面処理剤を含む組成物と接触させ、それによって表面処理された粒状無機材料を得るステップと、を含み、少なくとも1つの表面処理剤が有機−無機ハイブリッドポリマーであり；有機−無機ハイブリッドポリマーが、以下のステップを含むプロセスによって得ることができるポリマーの群から選択される：a）下記一般式：(X-L-)nSi(-Y)4-nによって表されるシランの群から選択される一種のシランの制御された加水分解および縮合によってポリマーを形成するステップ；または下記一般式：(X-L-)nSi(-Y)4-nによって表されるシランの群から独立して選択される少なくとも異なる2種のシランの制御された加水分解および縮合によってポリマーを形成するステップ；ここで、Xが-NR1R2、-N=C=O、SHまたはOHであり；R1およびR2が、水素；直鎖、分岐または環状であり得る非置換または置換の飽和または不飽和C1〜C25炭化水素基；脂肪族または芳香族カルボニル；および置換もしくは非置換のアリールであり；ここで、前記残基の炭素鎖が、酸素、窒素、硫黄、リン、ケイ素またはホウ素のうちの1つ以上の元素を任意に含むことができ；またはR1およびR2が、酸類、アルコール類、フェノール類、アミン類、アルデヒド類またはエポキシド類などの1種以上の化学物質の縮合生成物、付加生成物からなる群から独立して選択され；nが1または2であり；Lが、直接結合；または直鎖、分岐または環状であり得る非置換または置換の飽和または不飽和C1〜C25炭化水素基；および置換または非置換のアリーレンからなる群から選択される残基であり；ここで、前記残基の炭素鎖が、酸素、窒素、硫黄、リン、ケイ素またはホウ素のうちの1つ以上の元素を任意に含むことができ；Yが加水分解性基またはOHであるステップ；b）Xが-NR1R2であり、R1およびR2の少なくとも1つが選択されたシランまたは選択されたシランの少なくとも1つについてのHである場合；またはXが、選択されたシランまたは選択されたシランの少なくとも1つに対しての-N=C=O、SHまたはOHである場合、X基の原子と反応物の少なくとも1つの原子との間に共有結合を形成することができる少なくとも1つの反応物を添加するステップ；少なくとも1つの反応物が、環状無水物および式R-Zの化合物からなる群から選択される化合物であり、ここで、Rが、直鎖、分岐または環状であり得る非置換または置換の飽和または不飽和C1〜C25炭化水素基；脂肪族または芳香族カルボニル；および置換もしくは非置換のアリール；からなる群から選択される残基であり；ここで、前記残基の炭素鎖が、酸素、窒素、硫黄、リン、ケイ素またはホウ素のうちの1つ以上の元素；または酸類、アルコール類、フェノール類、アミン類、アルデヒド類またはエポキシド類などの1種以上の化学物質の縮合生成物、付加生成物からなる群から選択される残基を任意に含むことができ；Zが、アルコキシル、アリールオキシ、シクロアルコキシ、カルボキシル、ホルミル、ハロゲン化アシル、イソシアネート、ヒドロキシル、アミン、エポキシド、エステルおよびハロゲンからなる群から選択される残基であるステップ；c）Xが、選択されたシランまたは選択されたシランの少なくとも1つに対しての-NR1R2である場合、必要に応じて、X基のN原子を第四級ニトロニウムイオンに変換することができる酸を添加するステップを含む。
【００２１】
本発明の第1の態様による第1の実施形態では、粒状無機材料が、パーライト、膨張パーライト、ベントナイト、ケイソウ土、シリカ、重晶石、ジプサム、石灰石、カオリン、粘土、膨張粘土、バイオ炭、マイカ、タルク、バーミキュライト、合成カルシウムシリケート水和物、天然ケイ酸塩、フライアッシュ、ガラスなどの火山灰や他の火山生成物、スラグ、軽石、頁岩、合成ケイ酸塩、アルミノケイ酸塩、ケイソウ土、ウォラストナイト、スレート、膨張スレート；またはそれらの任意の混合物からなる群から選択される。
【００２２】
本発明の第1の態様による第2の実施形態では、粒状無機材料が、10〜950kg/m3の範囲の、好ましくは30〜150kg/m3の有効粒子密度または緩め嵩密度を有する。
【００２３】
本発明の第1の態様による第3の実施形態では、粒状無機材料を少なくとも1つの表面処理剤を含む組成物と接触させるステップが、少なくとも1つの表面処理剤を含む組成物の少なくとも1層を粒状無機材料上に塗布することを含む。
【００２４】
本発明の第1の態様による第4の実施形態では、粒状無機材料：表面処理剤の比が99.9:0.1pbw〜70:30pbwの範囲内である。
【００２５】
本発明の第1の態様による第5の実施形態では、Xが、選択されたシランの少なくとも1つに対しての-NR1R2である。
【００２６】
本発明の第1の態様による第6の実施形態では、Lが、直鎖、分岐または環状であり得る非置換または置換の飽和または不飽和C1〜C25炭化水素基；および置換または非置換のアリーレンからなる群から選択される残基であり；ここで、前記残基の炭素鎖が、酸素、窒素、硫黄、リン、ケイ素またはホウ素の1つ以上の元素を任意に含むことができる。別の実施形態では、Lが、直鎖、分岐または環状であり得る非置換または置換の飽和または不飽和C1〜C25炭化水素基；および置換または非置換のアリーレンからなる群から選択される残基であり、ここで、前記残基の炭素鎖が、選択されたシランの少なくとも1つに対しての酸素、窒素、硫黄、リン、ケイ素またはホウ素の1つ以上の元素を任意に含むことができる。
【００２７】
本発明の第1の態様による第7の実施形態において、YがOHまたはアルコキシル、アリールオキシル、カルボキシルおよびハロゲンからなる群から選択される加水分解性基である。別の実施形態では、YがOHまたは選択されたシランの少なくとも1つに対しての、アルコキシル、アリールオキシル、カルボキシルおよびハロゲンからなる群から選択される加水分解性基である。
【００２８】
本発明の第1の態様による第8の実施形態では、少なくとも1つの反応物が、無水フタル酸などの環状無水物、サリチル酸メチルなどのC1〜C25サリチル酸塩、飽和または不飽和C1〜C25脂肪酸、4−ヒドロキシ安息香酸メチルなどのC1〜C254−ヒドロキシ安息香酸エステル、乳酸メチルなどの有機酸から形成される一塩基性エステル、およびエポキシドからなる群から選択される。
【００２９】
本発明の第1の態様による第9の実施形態では、粒状無機材料が、膨張パーライトであり；ステップa）が、下記一般式：(X-L-)nSi(-Y)4-nによって表されるシランの群から選択される一種のシランの制御された加水分解および縮合によって、ポリマーを形成することを含み；Xが-NH2であり；nが1であり；Lが-CH2-CH2-CH2-であり；およびYが-O-CH2-CH3である。
【００３０】
本発明の第1の態様による第10の実施形態では、粒状無機材料が、膨張パーライトであり；ステップa）は、下記一般式：(X-L-)nSi(-Y)4-nによって表されるシランの群から選択される一種のシランの制御された加水分解および縮合によって、ポリマーを形成することを含み；Xが-NH2であり；nが1であり；Lが-CH2-CH2-CH2-であり；Yが-O-CH2-CH3であり；および少なくとも1つの反応物がベヘン酸である。
【００３１】
本発明によるさらなる実施形態では、少なくとも1つの表面処理剤を含む組成物が、少なくとも1つの表面処理剤を含む水性組成物である。好ましくは、少なくとも1つの表面処理剤を含む水性組成物が、少なくとも1つの乳化剤をさらに含む。
【００３２】
本発明のさらに別の実施形態では、少なくとも1つの表面処理剤を含む組成物が、少なくとも1つの乳化剤を用いて水中で乳化される。
【００３３】
本発明によるさらなる実施形態では、粒状無機材料が、透明材料ではなく、特にガラスでない。
【００３４】
本発明によるなおさらなる実施形態では、プロセスステップa）〜c）によって得られたポリマーのX基が、疎水性表面を有するポリマーをもたらし；プロセスステップa）〜c）により得られたポリマーに、ポリマーの疎水性表面を分解する熱処理を施さない。
【００３５】
本発明によるさらなる実施形態では、プロセスステップa）〜c）によって得られたポリマーのX基が、疎水性表面を有するポリマーをもたらし；表面処理された粒状無機材料に、ポリマーの疎水性表面を分解する熱処理を施さない。
【００３６】
本発明のさらに別の実施形態では、表面処理された粒状無機材料がか焼されない。
【００３７】
本発明によるさらなる実施形態では、表面処理された粒状無機材料および／またはプロセスステップa）〜c）によって得られたポリマーが、300℃を超える温度で熱処理されない。
【００３８】
本発明によるさらなる実施形態では、ステップa）〜c）を含むプロセスが、金属アルコキシドを添加するその後のステップを含まない。
【００３９】
本発明によるさらなる実施形態では、少なくとも1つの表面処理剤を含む組成物に金属アルコキシドを添加しない。
【００４０】
本発明によるさらなる実施形態では、有機−無機ハイブリッドポリマーが、30nm未満、例えば1nm〜29nmまたは1nm〜20nmの平均粒径を有する。
【００４１】
本発明によるさらなる実施形態では、ステップa）〜c）により調製された有機−無機ハイブリッドポリマーが、少なくとも1つの表面処理剤の平均粒径の80％未満の平均粒径を有する他のポリマーに共有結合していない。
【００４２】
本発明の第2の態様は、本発明の第1の態様による方法によって得ることができる表面処理された粒状無機材料に関する。
【００４３】
本発明の第3の態様は、本発明の第2の態様による表面処理された粒状無機材料の、建築材料と混合して、または建築材料における添加剤としての使用であって、建築材料は、好ましくは、石こう、セメント、軽量コンクリート、モルタル、人造石、レンガ、プラスチック、複合材料、塗料、コーティング、熱可塑性フォーム、および熱硬化性フォームからなる群から選択される、使用に関する。
【００４４】
本発明の第4の態様は、本発明の第2の態様による表面処理された粒状無機材料を含む建築材料であって、建築材料は、好ましくは、石こう、セメント、軽量コンクリート、モルタル、人造石、レンガ、プラスチック、複合材料、塗料、コーティング、熱可塑性フォーム、および熱硬化性フォームからなる群から選択される、建築材料に関する。
【図面の簡単な説明】
【００４５】
【図１】有機−無機ハイブリッドポリマーで被覆された熱膨張パーライトの熱重量分析の結果を示す（実施例2a）。高質量損失は、多量の有機−無機ハイブリッドポリマーがパーライト粒子上に堆積することに相当する。縦軸は熱重量分析によって測定した重量損失（重量％）、横軸は温度（℃）を示す。
【図２】有機−無機ハイブリッドポリマーで被覆された従来の膨張パーライトの熱重量分析結果を示す（実施例2b）。高質量損失は、多量の有機−無機ハイブリッドポリマーがパーライト粒子上に堆積することに相当する。縦軸は熱重量分析によって測定した重量損失（重量％）、横軸は温度（℃）を示す。
【図３】有機−無機ハイブリッドポリマーで被覆された従来の膨張パーライトの熱重量分析の結果を示す（実施例2c）。高質量損失は、多量の有機−無機ハイブリッドポリマーがパーライト粒子上に堆積することに相当する。縦軸は熱重量分析によって測定した重量損失（重量％）、横軸は温度（℃）を示す。
【図４】有機−無機ハイブリッドポリマー（修飾熱膨張パーライト（80:20））で被覆された熱膨張パーライトまたは熱膨張パーライト（未修飾熱膨張パーライト）を含むジプサム石こう配合物の破砕面を示す。
【図５】有機−無機ハイブリッドポリマー（左）で被覆された熱膨張パーライトまたは非被覆熱膨張パーライト（右）のいずれかを含むジプサム石こう配合物の破砕表面を示す。破断後の損傷を受けていない被覆されたパーライト粒子は、被覆されていない粒子と比較して、被覆された粒子の改善された機械的強度を明確に示す。
【図６】膨張パーライト上の表面コーティングの耐久性を実証する試験の結果を示す。
【図７】ブロックを形成するためにセメントに注入された膨張した粒状無機材料（左）；典型的には排出材料としての使用を満たす膨張した粒状無機材料（中）；モルタルに導入された膨張した粒状無機材料（右）を示す。
【図８】立方体多面体オリゴマーシルセスキオキサン（左）および部分縮合したシロキサン（右）を示す。
【図９】修飾熱膨張パーライト（80;20）および未修飾熱膨張パーライト、参考例3cの水吸収能力を示す。
【図１０】修飾された従来の膨張パーライト（95:5）および未修飾の従来の膨張パーライト、参考例4bの吸水能力を示す。
【図１１】修飾された従来の膨張パーライト（95:5）および未修飾の従来の膨張パーライト、参考例5cの吸水能力を示す。
【図１２】未修飾の軽量膨張粘土骨材と比較した、表面処理された軽量膨張粘土骨材の温度の関数としての質量損失を示す。
【発明を実施するための形態】
【００４６】
本発明の好ましい実施形態を、添付図面を参照してより詳細に説明する。
【００４７】
本発明が開示され、説明される前に、本発明は、本明細書に開示される特定の構造、プロセスステップ、または材料に限定されないが、関連技術における通常の技術を有する者によって認識されるように、それらの均等物に拡大されることが理解されるべきである。本明細書で用いられる用語は、特定の実施形態を説明するためだけに使用され、限定を意図するものではないことも理解されたい。
【００４８】
本発明の目的は、公知の粒状無機材料と比較して、水を吸収する能力が低下し、機械的強度が改善された粒状無機材料を提供することである。
【００４９】
さらなる目的は、モルタル、石こう、セメントおよび軽量コンクリートなどの、建築材料と混合される、またはこのような建築材料において添加剤として導入される際に、長時間の改善された機械的強度を有する混合物をもたらす粒状無機材料を提供することである。
【００５０】
上記目的は、以下のステップを含むまたはそれらからなる方法によって調製された表面処理された粒状無機材料によって達成された：
粒状無機材料を準備するステップ；および
粒状無機材料を少なくとも1つの表面処理剤を含むまたはそれからなる組成物と接触させ、それによって表面処理された粒状無機材料を得るステップを含み、
少なくとも1つの表面処理剤が有機−無機ハイブリッドポリマーであり；
有機−無機ハイブリッドポリマーが、以下のステップを含むまたはそれからなるプロセスによって得ることができるポリマーの群から選択される：
a）下記一般式：(X-L-)nSi(-Y)4-nによって表されるシランの群から選択される一種のシランの制御された加水分解および縮合によってポリマーを形成するステップ；または
下記一般式：(X-L-)nSi(-Y)4-nによって表されるシランの群から独立して選択される少なくとも異なる2種のシランの制御された加水分解および縮合によってポリマーを形成するステップ；
ここで、
Xが-NR1R2、-N=C=O、SHまたはOHであり；
R1およびR2が、水素；直鎖、分岐または環状であり得る非置換または置換の飽和または不飽和C1〜C25炭化水素基；脂肪族または芳香族カルボニル；および置換もしくは非置換のアリールからなる群から独立して選択された残基であり；
ここで、前記残基の炭素鎖が、酸素、窒素、硫黄、リン、ケイ素またはホウ素のうちの1つ以上の元素を任意に含むことができ；またはR1およびR2が、酸類、アルコール類、フェノール類、アミン類、アルデヒド類またはエポキシド類などの1種以上の化学物質の縮合生成物、付加生成物からなる群から独立して選択され；
nが1または2であり；
Lが、直接結合；または直鎖、分岐または環状であり得る非置換または置換の飽和または不飽和C1〜C25炭化水素基；および置換または非置換のアリーレンからなる群から選択される残基であり；
ここで、前記残基の炭素鎖が、酸素、窒素、硫黄、リン、ケイ素またはホウ素のうちの1つ以上の元素を任意に含むことができ；
Yが加水分解性基またはOHであるステップ；
b）Xが-NR1R2であり、R1およびR2の少なくとも1つが選択されたシランまたは選択されたシランの少なくとも1つに対してのHである場合；またはXが、選択されたシランまたは選択されたシランの少なくとも1つに対しての-N=C=O、SHまたはOHである場合、
X基の原子と反応物の少なくとも1つの原子との間に共有結合を形成することができる少なくとも1つの反応物を添加するステップ；
少なくとも1つの反応物が、環状無水物および式R−Zの化合物からなる群から選択される化合物であり、
ここで、Rが、直鎖、分岐または環状であり得る非置換または置換の飽和または不飽和C1〜C25炭化水素基；脂肪族または芳香族カルボニル；および置換もしくは非置換のアリールからなる群から選択される残基であり；
ここで、前記残基の炭素鎖が、酸素、窒素、硫黄、リン、ケイ素またはホウ素のうちの1つ以上の元素；または酸類、アルコール類、フェノール類、アミン類、アルデヒド類またはエポキシド類などの1種以上の化学物質の縮合生成物、付加生成物からなる群から選択される残基を任意に含むことができ；
Zが、アルコキシル、アリールオキシ、シクロアルコキシ、カルボキシル、ホルミル、ハロゲン化アシル、イソシアネート、ヒドロキシル、アミン、エポキシド、エステルおよびハロゲンからなる群から選択される残基であるステップ；
c）Xが、選択されたシランまたは選択されたシランの少なくとも1つに対しての-NR1R2である場合、
必要に応じて、X基のN原子を第四級ニトロニウムイオンに変換することができる酸を添加するステップを含む。
【００５１】
用語「下記一般式：(X-L-)nSi(-Y)4-nによって表されるシランの群から選択される1種のシラン」は、本明細書ではシランのリストから選択された1種の特定のシランを指し、ここで、リスト中の各シランおよび1つのシランは、下記一般式：(X-L-)nSi(-Y)4-nによって表される。下記一般式：(X-L-)nSi(-Y)4-nによって表されるシランの群から選択される一種のシランの例は、(NH2-CH2-CH2-CH2-)1Si(-O-CH2)-CH3)3である。1種のシランの制御された加水分解および縮合によってポリマーを形成すると、ホモポリマーが形成される。
【００５２】
プロセスステップa）で得られたポリマーがホモポリマーである場合、ステップb）およびc）は、「選択されたシランまたは選択されたシランの少なくとも1つに対しての」の代わりに「選択されたシランに対しての」を指す。
【００５３】
用語「下記一般式：(X-L-)nSi(-Y)4-nによって表されるシランの群から独立して選択される少なくとも異なる2種のシラン」は、本明細書において、シランのリストから選択された2種以上の特有のシランを指すことを意味し、ここで、リスト中の各シランおよび1つのシランは、下記一般式：(X-L-)nSi(-Y)4-nによって表される。用語「特有のシラン」は、本明細書では、構造が同一ではない、すなわち、2つ以上のシランのそれぞれおよび1つが特有の構造を有するシランを指すことを意味する。下記一般式：(X-L-)nSi(-Y)4-nによって表されるシランの群から独立して選択される少なくとも異なる2種のシランの例は、(NH2-CH2-CH2-CH2-)1Si(-O-CH2-CH3)3および(NH2-CH2-CH2-CH2-)2Si(-O-CH2-CH3)2である。少なくとも異なる2種のシランの制御された加水分解および縮合によってポリマーを形成すると、共重合体が形成される。
【００５４】
ステップa）で得られたポリマーが共重合体である場合、ステップb）およびc）は、「選択されたシラン（単数または複数）または選択されたシラン（単数または複数）の少なくとも1つに対しての」の代わりに、「選択されたシラン（複数）または選択されたシラン（複数）の少なくとも1つに対しての」を指す。
【００５５】
ステップb）において、用語「Xが-NR1R2であり、R1およびR2の少なくとも1つが選択されたシランに対してのHである」は、ポリマー鎖を構成するモノマーの各々および全てがX=-NR1R2を有し、R1およびR2の少なくとも1つがHであることを必要とする。ステップb）において、用語「Xが-NR1R2であり、R1およびR2の少なくとも1つが、選択されたシランの少なくとも1つに対してのHである」は、ポリマー鎖を構成するモノマーの少なくとも1つがX=-NR1R2を有し、R1およびR2の少なくとも1つがHであることを必要とする。
【００５６】
ステップb）において、用語「Xが、選択されたシランの少なくとも1つに対しての-N=C=O、SHまたはOHである場合」は、ポリマー鎖を構成するモノマーの各々および全てがX=-N=C=O、SHまたはOHを有することを必要とする。ステップb）において、用語「Xが、選択されたシランの少なくとも1つに対しての-N=C=O、SHまたはOHである場合」は、ポリマー鎖を構成するモノマーの少なくとも1つがX=-N=C=O、SHまたはOHであることを必要とする。
【００５７】
ステップc）において、用語「Xが、選択されたシランに対しての-NR1R2である場合」は、ポリマー鎖を構成するモノマーの各々および全てがX=-NR1R2を有することを必要とする。ステップc）において、用語「Xが、選択されたシランの少なくとも1つに対しての-NR1R2である場合」は、ポリマー鎖を構成するモノマーの少なくとも1つがX=-NR1R2を有することを必要とする。
【００５８】
本発明による方法は、特定のタイプの反応媒体に依存せず、水などの水性溶媒および有機系分散剤の両方で行ってもよい。
【００５９】
表面処理された粒状無機材料の製造
本発明による表面処理された粒状無機材料を製造するプロセスの第1のステップは、粒状無機材料を提供することを含む。用語「粒状材料」は、本明細書では、粒状形態の任意の材料を含むことを意図する。材料が単一の粒子の形態であろうと複数の粒子の形態であろうと、それは常に粒状材料である。用語「無機材料」は、有機物ではない材料を指す。
【００６０】
粒状無機材料
本発明による一実施形態では、粒状無機材料は、パーライト、膨張パーライト、ベントナイト、ケイソウ土、シリカ、重晶石、ジプサム、石灰石、カオリン、粘土、膨張粘土、バイオ炭、マイカ、タルク、バーミキュライト、合成カルシウムシリケート水和物、天然ケイ酸塩、フライアッシュ、ガラスなどの火山灰や他の火山生成物、スラグ、軽石、頁岩、合成ケイ酸塩、アルミノケイ酸塩、ケイソウ土、ウォラストナイト、スレート、膨張スレート；またはそれらの任意の混合物からなる群から選択される。
【００６１】
本発明による別の実施形態では、粒状無機材料は、膨張パーライト、膨張粘土、膨張スレートまたはそれらの任意の混合物である。好ましくは、粒状無機材料は膨張パーライトである。より好ましくは、粒状無機材料は、従来の膨張パーライトまたは熱膨張パーライトである。従来の膨張パーライトおよび熱膨張パーライトは、それぞれ実施例2bおよび2aにおいて具体的に言及される。膨張粘土は、実施例7および8において具体的に言及される。
【００６２】
パーライト、粘土および他の粒状無機材料を膨張させる方法は、当該技術分野において周知であり、したがって、本明細書で完全に検討する必要はない。
【００６３】
従来の膨張パーライトの製造方法を開示している以下の刊行物を参照されたい：
J.E.Kogel,N.C.Trivedi,J.M.Barker,S.T.Krukowski:Perlite by J.M.Barker and K.Santini,Industrial Minerals and Rocks,7th edition,2006,pp.685-702;
U.S.Department of the Interior,Bureau of Mines,Washington.Perlite:US Minerals Yearbook 1989,Vol.I:Metals and Minerals,pp.765-767;
M.Roulia,K.Chassapis,A.Kapoutsis,E.I.Kamitsos,T.Savvidis:Influence of thermal treatment on the water realise and the glassy structure of perlite.J.Marer Sci,2006,Vol.41,pp.5870-5881;
Av.A.Varuzhanyan,Ar.A.Varuzhanyan,H.A.Varuzhanyan: A mechanism of perlite expansion.Inorganic Materials,ISSN 0020-1685,2006,Vol.42(9),pp.ｉ039-1045；および
米国特許第4,525,388号“Process for expanding and coating perlite”。
【００６４】
熱膨張パーライトを製造する方法を開示する以下の刊行物を参照されたい：
Peppas,M.Taxiarchou,E.Koffa,T.Karalis,A.Amanatidis,Development of closed porous microcellular products from perlite.AMIREG 2006 Conference September 206, Hania, Greece;
K.Zahringer:Etude thermohydraulique du phenomene d’ expansion de la perlite:Applications a un four industriel.PhD Thesis,Ecole Centrale Paris(1998)；および
“Milled expanded volcanic glass as lamellar filler”，欧州特許第2444460(A1)号明細書。
【００６５】
間接加熱技術を用いて膨張パーライトを製造する方法を開示する以下の刊行物を参照されたい：国際公開第2015/057895号パンフレット「プラスチックおよび特殊コーティングのための層状機能性充填材としての、膨張微粉化表面処理アルミノ珪酸塩火山ガラス」。
マイクロ波技術を用いて膨張パーライトを製造する方法を開示する以下の公報を参照されたい：米国特許第6,408,649号明細書（2002年）の「マイクロ波放射を用いたガラスおよびガラス状材料の急速熱処理方法」。
【００６６】
本発明による別の実施形態では、粒状無機材料は軽量粒状無機材料である。軽量粒状無機材料の例は、950kg/m3未満のlbd；好ましくは、10〜800kg/m3、10〜600kg/m3、10〜500kg/m3または10〜400kg/m3のlbdなどの10〜950kg/m3のlbd；より好ましくは、30〜350kg/m3、30〜300kg/m3または30〜100kg/m3のlbdなどの10〜350kg/m3のlbdを有する粒状無機材料である。軽量粒状無機材料のさらなる例は、950kg/m3未満の有効粒子密度；好ましくは、10〜800kg/m3、10〜600kg/m3、10〜500kg/m3または10〜400kg/m3などの10〜950kg/m3の有効粒子密度；より好ましくは、30〜350kg/m3、30〜300kg/m3または30〜100kg/m3などの10〜350kg/m3の有効粒子密度を有する粒状無機材料である。
【００６７】
本明細書では、緩め嵩密度（lbd）は、BS EN 1097-3:1998「骨材の機械的および物理的特性の試験、緩め嵩密度および空隙の決定」に従って測定される。有効粒子密度は、本明細書において、EN1097-6:2000「骨材の機械的および物理的特性の試験、粒子密度および吸水率の決定」に従って測定される。
【００６８】
本発明による粒状無機材料の粒子は、異なるサイズおよび形状であってもよいことが理解されるべきである。本発明による一実施形態では、粒状無機材料の粒径分布（d50）は、10nm〜30000ミクロンの範囲にある。本発明による別の実施形態では、粒状無機材料の粒径分布（d50）は、10nm〜800ミクロン、10nm〜600ミクロン、10nm〜400ミクロン、10nm〜200ミクロン、10nm〜100ミクロン、10nm〜50ミクロンまたは10nm〜25ミクロンなどの10nm〜1000ミクロンの範囲内である。本発明による別の実施形態では、粒状無機材料の粒径分布（d50）は、10nm〜30000ミクロンの範囲内である。
【００６９】
本発明による別の実施形態では、粒状無機材料の粒径分布（d50）は、100nm〜30000ミクロンの範囲内である。本発明による別の実施形態では、粒状無機材料の粒径分布（d50）は、100nm〜800ミクロン、100nm〜600ミクロン、100nm〜400ミクロン、100nm〜200ミクロン、100nm〜100ミクロン、100nm〜50ミクロン、または100nm〜25ミクロンなどの100nm〜1000ミクロンの範囲内である。本発明による別の実施形態では、粒状無機材料の粒径分布（d50）は、100nm〜30000ミクロンの範囲内である。
【００７０】
本発明による別の実施形態では、粒状無機材料の粒径分布（d50）は、2〜30000ミクロンの範囲内である。本発明による別の実施形態では、粒状無機材料の粒径分布（d50）は、2〜800ミクロン、2〜600ミクロン、2〜400ミクロン、2〜200ミクロン、2〜100ミクロン、2〜50ミクロンまたは2〜25ミクロンなどの2〜1000ミクロンの範囲内である。
【００７１】
本発明による別の実施形態では、粒状無機材料の粒径分布（d50）は、2000〜30000ミクロン、4000〜30000ミクロン、6000〜30000ミクロン、8000〜30000ミクロンまたは10000〜30000ミクロンなどの1000〜30000ミクロンの範囲内である。最も小さい粒子は、例えば、熱絶縁のための、モルタル（図7、右）、石こう、セメントおよび軽量コンクリートなどの建築材料における充填剤、増量剤および添加剤としての使用を典型的には満たす一方、より大きな粒子は、例えば、排出用材料（図7、中央）、ろ過用材料、およびブロックの骨材（図7、左）としての使用を典型的には満たす。
【００７２】
粒度分布（d50）は、累積分布における50％の粒径の値である。粒度分布（d50）は、本明細書において、EN933-1:1997「骨材の幾何学的特性の試験、粒度分布の決定、ふるい分け法」に従って測定される。粒度分析は、Retschの光学画像分析システムCamsizer XTを用いて行うことができる。
【００７３】
本発明による表面処理された粒状無機材料を製造するプロセスにおける第2のステップは、粒状無機材料を、少なくとも1つの表面処理剤を含むまたはそれからなる組成物と接触させることを含む。本明細書で使用される用語「接触させる」は、少なくとも1つの表面処理剤を含む組成物が、粒状無機材料の表面の少なくとも一部に適用される、またはその逆であることを意味する。「接触させる」ステップは、例えば、浸漬、噴霧、はけ塗り、浴処理、またはそれらの任意の組み合わせによって行うことができる。
【００７４】
浸漬
本発明による一実施形態では、粒状無機材料は、例えば、ティーバッグに処理すべき粒状無機材料を充填し、次いで少なくとも1つの表面処理剤を含む組成物にティーバッグを浸漬することによって、少なくとも1つの表面処理剤を含む組成物に浸漬される（実施例6）。用語「ティーバッグ」は、粒状無機材料がバッグから漏れ出ることを防止するようになされた細孔を有するバッグまたはデバイスを指すが、同時にそれが浸漬される組成物がバッグの内外を自由に通過することを可能にする。少なくとも1つの表面処理剤を含む組成物のバッグ内外への移動を容易にするために、組成物は、処理中、攪拌、例えば磁気攪拌してもよく、またはティーバッグは、それが浸漬される組成物の連続流中に任意に浸漬されてもよい。バッグが少なくとも1つの表面処理剤を含む組成物と所定の時間接触した後、バッグおよび／またはその内容物が組成物から除去され、例えば、水またはメタノールもしくはエタノールなどの適切な有機溶媒中に浸漬することによって、1つ以上の洗浄ステップを施してもよい。洗浄ステップ後、水および／または有機溶媒を除去するために、粒状無機材料に1つ以上の乾燥ステップを任意に施してもよい。第2のコーティング層が適用される場合、第2のコーティング層を設けるために、少なくとも1つの表面処理剤を含む組成物にバッグおよび／またはその内容物を再度浸漬し得る。その後、同様の手順で行って、第3、第4、第5のコーティング層などを設け得る。コーティングおよび洗浄後、水および／または有機溶媒を除去するために、バッグ内の内容物に1つ以上の乾燥ステップを施すことが好ましい。
【００７５】
浴処理
本発明による別の実施形態では、粒状無機材料を、少なくとも1つの表面処理剤を含む組成物に浸漬し（浴処理）、好ましくは、例えば、少なくとも1つの表面処理剤を含む組成物の連続流をもたらす管接続部を両側に備えた反応器内に粒状無機材料を導入することによって、少なくとも1つの表面処理剤を含む組成物の連続流に浸漬する（実施例2a）。少なくとも1つの表面処理剤と粒状無機材料とを含む組成物の混合を容易にするために、混合物を攪拌、例えば、処理中に磁気攪拌を施してもよく、または反応器が任意に処理中に回転してもよく、または混合物が反応器を循環してもよい。粒状無機材料が、少なくとも1つの表面処理剤を含む組成物と所定の時間接触した後、粒状無機材料を組成物から除去し、水またはメタノールもしくはエタノールなどの適切な有機溶媒の連続流をもたらすことによって、1つ以上の洗浄ステップを施してもよい。洗浄ステップ後、水および／または有機溶媒を除去するために、粒状無機材料に1つ以上の乾燥ステップを任意に施してもよい。第2のコーティング層が塗布される場合、粒状無機材料は、第2のコーティング層を設けるために、少なくとも1つの表面処理剤を含む組成物に再浸漬されてもよい。その後、同様の手順で行って、第3、第4、第5のコーティング層などを設け得る。コーティングおよび洗浄後、粒状無機材料は、好ましくは、水および／または有機溶媒を除去するために、1つ以上の乾燥ステップを施す。
【００７６】
噴霧
本発明による別の実施形態では、少なくとも1つの表面処理剤を含む組成物を、例えば、米国特許第4,525,388号明細書に開示されている手順、または流動床処理装置に従って、粒状無機材料（実施例2bおよび2c）に噴霧することができる。第1のコーティング層が粒状無機材料上に噴霧された後、粒状無機材料は、例えば、水またはメタノールもしくはエタノールなどの適切な有機溶媒の噴霧処理をもたらすことによって、1つ以上の洗浄ステップを施してもよい。粒状無機材料は、水および／または有機溶媒を除去するために、1つ以上の乾燥ステップを任意に施してもよい。
【００７７】
はけ塗り
本発明による別の実施形態では、少なくとも1つの表面処理剤を含む組成物を粒状無機材料の上にはけ塗りする。第1のコーティング層を粒状無機材料上にはけ塗りした後、粒状無機材料は、例えば、水またはメタノールもしくはエタノールなどの適切な有機溶媒中に浸漬することによって1つ以上の洗浄ステップを施してもよい。洗浄ステップ後、水および／または有機溶媒を除去するために、粒状無機材料に1つ以上の乾燥ステップを任意に施してもよい。第2のコーティング層が適用される場合、粒状無機材料に、少なくとも1つの表面処理剤を含む組成物の第2の層を粒状無機材料上にはけ塗りすることによって、第2のコーティングステップを施してもよい。その後、同様の手順で行って、第3、第4、第5のコーティング層などを設け得る。コーティングおよび洗浄後、粒状無機材料は、好ましくは、水および／または有機溶媒を除去するために、1つ以上の乾燥ステップを施す。
【００７８】
層数
本発明の一実施形態では、粒状無機材料に、例えば、少なくとも1つの表面処理剤を含む組成物と十分な時間接触させた後に、水またはメタノールもしくはエタノールなどの適切な有機溶媒中に浸漬することによって、1つ以上の洗浄ステップを施す。洗浄ステップ後、水および／または有機溶媒を除去するために、粒状無機材料に1つ以上の乾燥ステップを任意に施してもよい。第2のコーティング層が塗布される場合、粒状無機材料は、典型的には、第2のコーティング層を設けるために、少なくとも1つの表面処理剤を含む組成物と接触させる。その後、同様の手順で行って、第3、第4、第5のコーティング層などを設け得る。コーティングおよび洗浄ステップ後、粒状無機材料に、好ましくは、水および／または有機溶媒を除去するために、1つ以上の乾燥ステップを施す。
【００７９】
本発明の文脈において、層の数は、粒状無機材料が少なくとも1つの表面処理剤を含む組成物と接触される回数を指す。各コーティング処理の結果を新しい層と称するために、各コーティング処理の間に1つ以上の洗浄ステップまたは少なくとも1つの乾燥ステップを実施する必要がある。洗浄および乾燥ステップの目的は、水、エタノールおよびメタノールなどの溶媒を除去することである。
【００８０】
2つ以上のコーティング層が粒状無機材料上に塗布される場合、各層は同じまたは異なる技術を使用して塗布されてもよく、例えば、第1の層は噴霧によって塗布されてもよく、第2の層は浴処理または他の方法で塗布されてもよいことが理解されるべきである。同様に、第1の層、第2の層および第3の層が浴処理によって塗布される場合、第4の層は噴霧によって塗布され、第5の層は例えば浸漬によって塗布されてもよい。
【００８１】
本発明による一実施形態では、少なくとも1つの表面処理剤を含む組成物の1つ以上の層が、例えば、1つの層、少なくとも2つの層、少なくとも3つの層、少なくとも4つの層、少なくとも5つの層、少なくとも6つの層、少なくとも7つの層、少なくとも8つの層、少なくとも9つの層または少なくとも10の層などの粒状無機材料上に塗布された。本発明による別の実施形態では、粒状無機材料上に塗布された少なくとも1つの表面処理剤を含む組成物の層の数は、1〜100、1〜50、1〜25、1〜10、1〜8、1〜6、1〜4または1〜2の範囲内である。
【００８２】
粘度
粒状無機材料を少なくとも1つの表面処理剤を含む組成物と接触させる場合、少なくとも1つの表面処理剤を含む組成物は、共有結合または非共有結合のいずれかで粒状無機材料の表面に付着する。少なくとも1つの表面処理剤ができるだけ多くの粒子表面と接触するためには、少なくとも1つの表面処理剤を含む組成物が、表面に存在する可能性があるあらゆる亀裂および割れ目に浸透することができ、内部空気充填空洞に入ることができることが好ましい。
【００８３】
本発明による一実施形態では、最良の濡れ特性を可能にするために、粒状無機材料を少なくとも1つの表面処理剤を含む組成物と接触させる前に、表面処理すべき粒状無機材料を水または適切な有機溶媒、例えばメタノールもしくはエタノールにさらす。
【００８４】
本発明による別の実施形態では、少なくとも1つの表面処理剤を含む組成物の粘度は、表面処理剤が可能な限り多くの粒子表面と接触することを可能にするほど十分に低い。組成物の温度および表面処理剤の濃度は、少なくとも1つの表面処理剤を含む組成物の粘度にとって重要なパラメータであることが知られている。
【００８５】
本発明による一実施形態では、少なくとも1つの表面処理剤を含む組成物は、例えば、0.05〜20重量％の少なくとも1つの表面処理剤、0.1〜20重量％の少なくとも1つの表面処理剤、0.5〜20重量％の少なくとも1つの表面処理剤、1〜20重量％少なくとも1つの表面処理剤、2〜20重量％の少なくとも1つの表面処理剤、5〜20重量％の少なくとも1つの表面処理剤、2〜15重量％の少なくとも1つの表面処理剤、2〜12重量％の少なくとも1つの表面処理剤、2〜10重量％の少なくとも1つの表面処理剤または5〜10重量％の少なくとも1つの表面処理剤などの0．01〜20重量％の少なくとも1つの表面処理剤を含む。用語「少なくとも1つの表面処理剤」は、本発明の第1の態様に従って定義された有機−無機ハイブリッドポリマーを指すことを意図する。
【００８６】
本発明による別の実施形態では、少なくとも1つの表面処理剤を含む組成物は、例えば、0.05〜20重量％の表面処理剤、0.1〜20重量％の表面処理剤、0.5〜20重量％の表面処理剤、1〜20重量％の表面処理剤、2〜20重量％の表面処理剤、5〜20重量％の表面処理剤、2〜15重量％の表面処理剤、2〜12重量％の表面処理剤、2〜10重量％の表面処理剤または5〜10重量％の表面処理剤などの0.01〜20重量％の表面処理剤を含有する。用語「表面処理剤」は、粒状無機材料、すなわち本発明の第1の態様に従って定義された有機−無機ハイブリッドポリマーに付着することを意図したすべての化合物、および粒状無機材料に付着することを意図する組成物中の他のすべての化合物を指すことを意図する。
【００８７】
本発明による一実施形態では、少なくとも1つの表面処理剤を含む組成物は、粒状無機材料と接触させる前に、10℃〜300℃、10℃〜200℃、10℃〜150℃、15℃〜300℃、15℃〜200℃、15℃〜150℃、20℃〜300℃、20℃〜200℃、20℃〜150℃、25℃〜300℃、25℃〜200℃、25℃〜150℃、30℃〜300℃、30℃〜200℃、30℃〜150℃、35℃〜300℃、35℃〜200℃、35℃〜150℃、40℃〜300℃、40℃〜200℃または40℃〜150℃などの5℃〜300℃の範囲内の温度に加熱する。
【００８８】
本発明による別の実施形態では、少なくとも1つの表面処理剤を含む組成物は、粒状無機材料と接触する場合に、例えば10℃〜300℃、10℃〜200℃、10℃〜150℃、15℃〜300℃、15℃〜200℃、15℃〜150℃、20℃〜300℃、20℃〜200℃、20℃〜150℃、25℃〜300℃、25℃〜200℃、25℃〜150℃、30℃〜300℃、30℃〜200℃、30℃〜150℃、35℃〜300℃、35℃〜200℃、35℃〜150℃、40℃〜300℃、40℃〜200℃または40℃〜150℃などの5℃〜300℃の範囲内の温度を有する。
【００８９】
少なくとも1つの表面処理剤を含む組成物が粒状無機材料と接触する前に加熱されることが好ましい場合もあるが、少なくとも1つの表面処理剤を含む組成物は、ステップa）〜ステップc）で得られたポリマーの構造を分解する温度に加熱されないことが最も重要である。
【００９０】
このように、本発明による一実施形態では、プロセスステップa）〜c）によって得られたポリマーに、ポリマーの疎水性表面を分解する、すなわちX基によってもたらされる疎水性表面を分解する熱処理を施さない。疎水性表面が分解し始める温度は、X基の構造に依存して変化する。当業者は、疎水性表面がどの温度で分解し始めるかを、例えば、熱重量分析（TGA）によって容易に決定することができる。プロセスステップa）〜c）により得られたポリマーは、好ましくは、疎水性表面が分解し始める温度よりも高い温度にさらされない。
【００９１】
本発明による別の実施形態では、表面処理された粒状無機材料に、粒状無機材料に付着したポリマーの疎水性表面を分解する、すなわちX基によってもたらされる疎水性表面を分解する熱処理を施さない。疎水性表面が分解し始める温度は、X基の構造に依存して変化する。当業者は、疎水性表面がどの温度で分解し始めるかを、例えば、熱重量分析（TGA）によって容易に決定することができる。表面処理された粒状無機材料は、好ましくは、粒状無機材料に付着したポリマーの疎水性表面が分解し始める温度よりも高い温度にさらされない。
【００９２】
典型的な熱重量分析の例を以下に示す。
【００９３】
本発明による一実施形態では、表面処理された粒状無機材料にか焼を施さない。
【００９４】
本発明による別の実施形態では、表面処理された粒状無機材料および／またはプロセスステップa）〜c）によって得られたポリマーに、100℃を超える温度で熱処理を施さない。本発明による別の実施形態では、表面処理された粒状無機材料および／またはプロセスステップa）〜c）によって得られたポリマーに、150℃を超える温度で熱処理を施さない。本発明による別の実施形態では、表面処理された粒状無機材料および／またはプロセスステップa）〜c）によって得られたポリマーに、200℃を超える温度で熱処理を施さない。本発明による別の実施形態では、表面処理された粒状無機材料および／またはプロセスステップa）〜c）によって得られたポリマーに、250℃を超える温度で熱処理を施さない。本発明による別の実施形態では、表面処理された粒状無機材料および／またはプロセスステップa）〜c）によって得られたポリマーに、300℃を超える温度で熱処理を施さない。本発明による別の実施形態では、表面処理された粒状無機材料および／またはプロセスステップa）〜c）によって得られたポリマーに、350℃を超える温度で熱処理を施さない。本発明による別の実施形態では、表面処理された粒状無機材料および／またはプロセスステップa）〜c）によって得られたポリマーに、400℃を超える温度で熱処理を施さない。本発明による別の実施形態では、表面処理された粒状無機材料および／またはプロセスステップa）〜c）によって得られたポリマーに、450℃を超える温度で熱処理を施さない。本発明による別の実施形態では、表面処理された粒状無機材料および／またはプロセスステップa）〜c）によって得られたポリマーに、499℃を超える温度で熱処理を施さない。本発明による別の実施形態では、表面処理された粒状無機材料および／またはプロセスステップa）〜c）によって得られたポリマーに、500℃を超える温度で熱処理を施さない。
【００９５】
本発明による一実施形態では、ステップa）〜c）によって調製された有機−無機ハイブリッドポリマーは、少なくとも1つの表面処理剤の平均粒径の、70％未満、60％未満、50％未満または40％未満などの80％未満の平均粒径を有する他のポリマーに共有結合していない。好ましくは、粒状無機材料と接触させた有機−無機ハイブリッドポリマーは、少なくとも1つの表面処理剤の平均粒径の、70％未満、60％未満、50％未満または40％未満などの80％未満の平均粒径を有する他のポリマーに共有結合していない。
【００９６】
粒状無機材料上に堆積された表面処理剤の量
本発明の一実施形態では、粒状無機材料に、例えば、少なくとも1つの表面処理剤を含む組成物と十分な時間接触させた後に、水またはメタノールもしくはエタノールなどの適切な有機溶媒中に浸漬することによって、1つ以上の洗浄ステップを施す。洗浄ステップ後、水および／または有機溶媒を除去するために、粒状無機材料に1つ以上の乾燥ステップを任意に施してもよい。第2のコーティング層を塗布する場合、第2のコーティング層を設けるために、粒状無機材料は、次いで少なくとも1つの表面処理剤を含む組成物と接触させ得る。その後、同様の手順で行って、第3、第4、第5のコーティング層などを設け得る。コーティングおよび必要に応じて洗浄および乾燥ステップ後、粒状無機材料に、好ましくは、水および／または有機溶媒を除去するために、1つ以上の乾燥ステップを施す。被覆された粒状無機材料に、その後、粒状無機材料上に堆積された有機質部分の実際の量、特に表面処理剤の量を調べるために、熱重量分析（TGA）を施し得る。
【００９７】
熱重量分析は、典型的には、N2雰囲気などの不活性雰囲気下で10〜30℃／分で、20〜40℃の範囲の温度などの低温から150〜250℃の範囲の温度などの高温までの熱処理、150〜250℃の比較的高温で、30〜90分などの長時間熱処理、N2雰囲気などの不活性雰囲気下で10〜30℃／分で、150〜250℃の温度などの比較的高温から700〜1100℃などのより高温までの熱処理を含む。
【００９８】
有機質部分は、上記の熱処理中に酸化される。熱処理中の質量損失を測定することによって、粒状無機材料上に堆積した有機質部分の量、特に表面処理剤の量を測定し得る。
【００９９】
本発明による一実施形態では、粒状無機材料：少なくとも1つの表面処理剤の比は、99.9:0.1pbw（重量部）〜20:80pbwの範囲内である。別の実施形態では、粒状無機材料：少なくとも1つの表面処理剤の比は、99:1pbw〜30:70pbw、99:1pbw〜40:60pbw、99:1pbw〜50:50pbw、99:1pbw〜60:40pbw、99:1pbw〜70:30pbw、99:1pbw〜80:20pbw、99:1pbw〜90 :10 pbwなどの99:1pbw〜20:80pbwの範囲内である。
【０１００】
別の実施形態では、粒状無機材料：少なくとも1つの表面処理剤の比は、99:1pbw〜75:25pbwの範囲、99:1pbw〜80:20pbwの範囲、99:1pbw〜85:15pbwの範囲、99:1pbw〜90：10pbwの範囲、99:1pbw〜92:8pbwの範囲、99:1pbw〜95:5pbwの範囲、99:1pbw〜98:2pbwの範囲などの99:1pbw〜70:30pbwの範囲内である。比は、被覆された粒状材料に実施例2a、2bおよび2cのセクションivで同様に行われる熱重量分析を施した場合の質量損失に基づいて測定される。
【０１０１】
用語「表面処理剤」は、本明細書では、粒状無機材料、すなわち、本発明の第1の態様に従って定義された有機−無機ハイブリッドポリマーに付着することを意図する全ての化合物および少なくとも1つの表面処理剤を含む組成物中に存在する他のすべての表面処理剤を指すことを意図する。
【０１０２】
本発明による一実施形態では、少なくとも1つの表面処理剤を含む組成物は、少なくとも1つの表面処理剤の平均粒径の70％未満、60％未満、50％未満または40％未満などの80％未満の平均粒径を有するポリマーを含有しない。
【０１０３】
有機−無機ハイブリッドポリマーの製造
一般的な有機−無機ハイブリッドポリマーおよびその製造方法は、先行技術において完全に開示されており、したがって、一般に、本発明に特有のものではなく、多分岐有機−無機ハイブリッドポリマーの製造方法を開示する国際公開第0208343号パンフレットおよび国際公開第2005/100450号パンフレットを参照されたい。
【０１０４】
本発明による少なくとも1つの表面処理剤は、以下のステップを含むプロセスによって得ることができるポリマーの群から選択される有機−無機ハイブリッドポリマーである：a）下記一般式：(X-L-)nSi(-Y)4-nによって表されるシランの群から選択される一種のシランの制御された加水分解および縮合によってポリマーを形成するステップ；または下記一般式：(X-L-)nSi(-Y)4-nによって表されるシランの群から独立して選択される少なくとも異なる2種のシランの制御された加水分解および縮合によってポリマーを形成するステップ；
ここで、Xが-NR1R2、-N=C=O、SHまたはOHであり；R1およびR2が、水素；直鎖、分岐または環状であり得る非置換または置換の飽和または不飽和C1〜C25炭化水素基；脂肪族または芳香族カルボニル；および置換もしくは非置換のアリールからなる群から独立して選択された残基であり；
ここで、前記残基の炭素鎖が、酸素、窒素、硫黄、リン、ケイ素またはホウ素のうちの1つ以上の元素を任意に含むことができ；またはR1およびR2が、酸類、アルコール類、フェノール類、アミン類、アルデヒド類またはエポキシド類などの1種以上の化学物質の縮合生成物、付加生成物からなる群から独立して選択され；nが1または2であり；Lが、直接結合；または直鎖、分岐または環状であり得る非置換または置換の飽和または不飽和C1〜C25炭化水素基；および置換または非置換のアリーレンからなる群から選択される残基であり；
ここで、前記残基の炭素鎖が、酸素、窒素、硫黄、リン、ケイ素またはホウ素のうちの1つ以上の元素を任意に含むことができ；Yが加水分解性基またはOHであるステップ；b）Xが-NR1R2であり、R1およびR2の少なくとも1つが選択されたシランまたは選択されたシランの少なくとも1つに対してのHである場合；またはXが、選択されたシランまたは選択されたシランの少なくとも1つに対しての-N=C=O、SHまたはOHである場合、X基の原子と反応物の少なくとも1つの原子との間に共有結合を形成することができる少なくとも1つの反応物を添加するステップ；少なくとも1つの反応物が、環状無水物および式R-Zの化合物からなる群から選択される化合物であり、
ここで、Rが、直鎖、分岐または環状であり得る非置換または置換の飽和または不飽和C1〜C25炭化水素基；脂肪族または芳香族カルボニル；および置換もしくは非置換のアリールからなる群から選択される残基であり；
ここで、前記残基の炭素鎖が、酸素、窒素、硫黄、リン、ケイ素またはホウ素のうちの1つ以上の元素；または酸類、アルコール類、フェノール類、アミン類、アルデヒド類またはエポキシド類などの1種以上の化学物質の縮合生成物、付加生成物からなる群から選択される残基を任意に含むことができ；Zが、アルコキシル、アリールオキシ、シクロアルコキシ、カルボキシル、ホルミル、ハロゲン化アシル、イソシアネート、ヒドロキシル、アミン、エポキシド、エステルおよびハロゲンからなる群から選択される残基であるステップ；c）Xが、選択されたシランまたは選択されたシランの少なくとも1つに対しての-NR1R2である場合、必要に応じて、X基のN原子を第四級ニトロニウムイオンに変換することができる酸を添加するステップを含む。
【０１０５】
少なくとも1つの表面処理剤は、プロセスステップa）〜c）によって得ることができるポリマーからなる群から選択される。プロセスステップa）〜c）によって得ることができる多数の異なるホモポリマーがあり、それぞれが1種のモノマーのみを結合することによって製造される。しかし、2種以上の異なるホモポリマーからのモノマーが同じポリマー鎖で結合されている場合、ポリマーは共重合体と呼ばれる。このように、用語「共重合体」は、2つ以上の異なるホモポリマーからモノマーを一緒に連結することによって、すなわち同じポリマー鎖で2つ以上の異なるモノマーを一緒に連結することによって製造されたポリマーを指すことを意図する。
【０１０６】
共重合体
ポリマーが1種のモノマーのみを一緒に結合することによって製造される場合、それはホモポリマーと呼ばれる。しかし、2種以上の異なる種類のモノマーが同じポリマー鎖で結合されている場合、ポリマーは共重合体と呼ばれる。
【０１０７】
本発明による一実施形態では、少なくとも1つの表面処理剤はホモポリマーである。本発明による別の実施形態では、少なくとも1つの表面処理剤は共重合体である。
【０１０８】
本発明による一実施形態では、少なくとも1つの表面処理剤は共重合体であり、共重合体は2〜10個の異なるモノマー、好ましくは2〜8個の異なるモノマー、より好ましくは2〜6個の異なるモノマー、最も好ましくは2〜4個、例えば2個の異なるモノマーからなる。用語「異なるモノマー」は、構造が異なるモノマーを指す。
【０１０９】
本発明による一実施形態では、少なくとも1つの表面処理剤は、下記一般式：(X-L-)nSi(-Y)4-nによって表されるシランの群から選択される一種のシランの制御された加水分解および縮合によって得ることができるホモポリマーである。本発明による別の実施形態では、少なくとも1つの表面処理剤は、下記一般式：(X-L-)nSi(-Y)4-nによって表されるシランの群から独立して選択される少なくとも異なる2種類のシランの制御された加水分解および縮合によって得ることができる共重合体である。
【０１１０】
一実施形態では、少なくとも異なる2種類のシランは、異なる2種類のシランである。本発明による別の実施形態では、少なくとも異なる2種類のシランは、異なる3種類のシランである。本発明による別の実施形態では、少なくとも異なる2種類のシランは、異なる4種類のシランである。本発明による別の実施形態では、少なくとも異なる2種類のシランは、異なる5種類のシランである。本発明による別の実施形態では、少なくとも異なる2種類のシランは、異なる6種類のシランである。本発明による別の実施形態では、少なくとも異なる2種類のシランは、異なる7種類のシランである。本発明による別の実施形態では、少なくとも異なる2種類のシランは、異なる8種類のシランである。本発明による別の実施形態では、少なくとも異なる2種類のシランは、異なる9種類のシランである。本発明による別の実施形態では、少なくとも異なる2種類のシランは、異なる10種類のシランである。
2種以上のモノマーが交互に配置される場合、ポリマーは交互共重合体、例えば、-A-B-A-B-A-B-A-B-と呼ばれる。本発明による一実施形態では、少なくとも1つの表面処理剤は交互共重合体である。
【０１１１】
ランダムポリマーでは、少なくとも2つのモノマーは、ランダムな順序で、例えば、−A-A-A-B-B-A-B-B-である。本発明による一実施形態では、少なくとも1つの表面処理剤はランダムポリマーである。
【０１１２】
ブロック共重合体においては、1種のモノマーの全てが一緒にグループ化され、他の全てのモノマーが-A-A-A-A-B-B-B-B-として一緒にグループ化される。ブロックポリマーは、両端で一緒に結合した2つのホモポリマーと考えられ得る。本発明による一実施形態では、少なくとも1つの表面処理剤はブロックポリマーである。
【０１１３】
シランの制御された加水分解および縮合
「制御された加水分解および縮合」とは、本明細書においては、適切なシラン化合物の加水分解および縮合を意味する。第1のステップは、典型的には、R’-Si(OR)3などの適切なシラン化合物の加水分解であり、基R’は加水分解または縮合反応に関与しない。加水分解性基は、アルコキシ基によって例示され、Si-OR+H-OH→Si-OH+ROHのヒドロキシル基で置換される。制御された量の水および制御された量のグリコール系溶媒が、典型的にはこのステップの間に添加される。反応温度および反応時間も制御される。
【０１１４】
第2のステップは、水酸基が他のケイ素中心からのヒドロキシル基またはアルコキシ基と反応し、それぞれSi-O-Si結合および水またはアルコールを形成することができる縮合である：Si-OH+OH-Si→Si-O-Si+H2O；またはSi-OR+HO-Si→Si-O-Si+ROH。
【０１１５】
有機−無機ハイブリッドポリマーの大きさ
ある大きさの粒子を製造するためには、2つの反応の反応速度論、すなわち縮合および加水分解の間の正確なバランスを保証する化学的条件を確立することが必要である。縮合は（単一の）モノマー分子からのポリマー鎖の形成に寄与するが、加水分解は多結晶性の沈殿またはオキソ水酸化物の沈殿に寄与する。アミノ官能性シランおよび／またはイソシアネート官能性シランの組み合わせおよびアルコキシド基と強力な配位子との交換は、加水分解反応を緩和し、ポリマー鎖が長すぎずオリゴマーの大きさに保たれることを確実にする。実際には、粒子は、数ナノメートル、より典型的には10nm未満のサイズで調製される。
【０１１６】
本発明による一実施形態では、有機−無機ハイブリッドポリマーはオリゴマーである。本発明による別の実施形態では、有機−無機ハイブリッドポリマーは、2〜500個のモノマー、2〜300個のモノマー、2〜200個のモノマー、2〜100個のモノマー、2〜50個のモノマー、2〜25個のモノマー、2〜20個のモノマー、2〜15個のモノマー、2〜10個のモノマーなどの2〜1000個のモノマー、4〜300個のモノマー、4〜200個のモノマー、4〜100個のモノマー、4〜50個のモノマー、4〜25個のモノマー、4〜20個のモノマー、4〜15個のモノマー、4〜10個のモノマーなどの4〜500個のモノマー、6〜300個のモノマー、6〜200個のモノマー、6〜100個のモノマー、6〜50個のモノマー、6〜25個のモノマー、6〜20個のモノマー、6〜15個のモノマー、6〜10個のモノマーなどの6〜500個のモノマー、10〜300個のモノマー、10〜200個のモノマー、10〜100個のモノマー、10〜50個のモノマー、10〜25個のモノマー、10〜20個のモノマー、10〜15個のモノマー、8〜15個のモノマー、4〜15個のモノマーまたは2〜15個のモノマーなどの10〜500個のモノマーからなる。
【０１１７】
本発明による別の実施形態では、有機−無機ハイブリッドポリマーは、少なくとも4個のモノマー、少なくとも6個のモノマー、少なくとも8個のモノマー、少なくとも10個のモノマー、少なくとも11個のモノマー、少なくとも12個のモノマー、少なくとも13個のモノマー、少なくとも14個のモノマーまたは少なくとも15個のモノマーなどの少なくとも2個のモノマーからなる。
【０１１８】
本発明の一実施形態では、有機−無機ハイブリッドポリマー中のSi原子の数は、2〜1000、2〜500、2〜300、2〜200、2〜100、2〜50、2〜25、2〜20、2〜15、2〜10、4〜500、4〜300、4〜200、4〜100、4〜50、4〜24、4〜20、4〜15、4〜10、6〜500、6〜300、6〜200、6〜100、6〜50、6〜25、6〜20、6〜15、6〜10、10〜500、10〜300、10〜200、10 〜100、10〜50、10〜25、10〜20、10〜15、8〜15、4〜15または2〜15のモノマーの範囲内である。
【０１１９】
本発明による別の実施形態では、有機−無機ハイブリッドポリマー中のSi原子の数は、少なくとも4個、少なくとも6個、少なくとも8個、少なくとも10個、少なくとも11個、少なくとも12個、少なくとも13個、少なくとも14個または少なくとも15個などの少なくとも2個である。
【０１２０】
本発明による別の実施形態では、有機−無機ハイブリッドポリマーは、例えば、1nm〜90nm、1nm〜80nm、1nm〜70nm、1nm〜60nm、1nm〜50nm、1nm〜40nm、1nm〜30nm、1nm〜29nm、1nm〜25nm、1nm〜20nm、1nm〜10nmまたは1nm〜5nmなどの1nm〜100nmの平均粒径を有する。
【０１２１】
安定剤
適切な安定剤を反応組成物に添加して、加水分解および縮合およびその後の修飾中の反応物および反応生成物の酸化分解を回避し得る。得られる溶液は、典型的には、遊離アミン基、遊離イソシアネート基、遊離SH基および／または遊離OH基を溶媒中に分散させた無機ポリマー粒子からなる。
【０１２２】
本発明による一実施形態では、反応組成物に適切な安定剤を添加して、加水分解および縮合およびその後の修飾中の反応物および反応生成物の酸化分解を回避する。好ましくは、好適な安定剤は、少なくとも1つの表面処理剤を製造するプロセスにおける第1のステップで添加される。適切な安定剤は、典型的には、ヒンダードアミン類、1つ以上の酸化防止剤またはそれらの組合せに基づくラジカルスカベンジャーである（Hans Zweifel（ed.）、Plastics Additives Handbook、Carl Hanser Verlag、Munchen、（2001）、10-19）。
【０１２３】
有機−無機ハイブリッドポリマー、L基、C1〜C25炭化水素基
Lの定義において、用語「直鎖、分岐または環状であり得る非置換または置換の飽和または不飽和C1〜C25炭化水素基から選択される残基であり；ここで、前記残基の炭素鎖が、酸素、窒素、硫黄、リン、ケイ素またはホウ素の1つ以上の元素を任意に含むことができる」は、1〜18個の炭素原子、1〜10個の炭素原子、1〜5個の炭素原子などの25個までの炭素原子を有する炭化水素基を指し、直鎖、分岐および環状の炭化水素基；飽和または不飽和の炭化水素基；および非置換または置換炭化水素基を含むことを意図し；ここで、前記残基の炭素鎖が、酸素、窒素、硫黄、リン、ケイ素またはホウ素の1つ以上の元素を任意に含むことができる。
【０１２４】
一実施形態では、直鎖、分岐または環状であり得る非置換または置換の飽和または不飽和C1〜C25炭化水素基は、直鎖または分岐であり得る非置換または置換の飽和または不飽和C1〜C25、C1〜C18、C1〜C10またはC1〜C5炭化水素基である。一実施形態では、直鎖、分岐または環状であり得る非置換または置換の飽和または不飽和C1〜C25炭化水素基は、直鎖である非置換または置換の飽和または不飽和C1〜C25、C1〜C18、C1〜C10またはC1〜C5炭化水素基である。一実施形態では、直鎖、分岐または環状であり得る非置換または置換の飽和または不飽和C1〜C25炭化水素基は、直鎖である非置換または置換の飽和C1〜C25、C1〜C18、C1〜C10またはC1〜C5炭化水素基である。一実施形態では、直鎖、分岐または環状であり得る非置換または置換の飽和または不飽和C1〜C25炭化水素基は、直鎖である非置換の飽和C1〜C25、C1〜C18、C1〜C10またはC1〜C5炭化水素基である。本発明による別の実施形態では、直鎖、分岐または環状であり得る非置換または置換の飽和または不飽和C1〜C25炭化水素基は、式-CH2-CH2-CH2-のラジカルである（実施例1a、セクションi；および実施例1b、セクションi）。
【０１２５】
本発明による一実施形態では、Lが、直鎖、分岐または環状であり得る非置換または置換の飽和または不飽和C1〜C25、C1〜C18、C1〜C10またはC1〜C5炭化水素基からなる群から選択される残基であり；ここで、前記残基の炭素鎖が、窒素、硫黄、リン、ケイ素またはホウ素の1つ以上の元素を任意に含むことができる。
【０１２６】
本発明による一実施形態では、Lが、直鎖、分岐または環状であり得る非置換または置換の飽和または不飽和C1〜C25、C1〜C18、C1〜C10またはC1〜C5炭化水素基からなる群から選択される残基であり；ここで、前記残基の炭素鎖が、選択されたシランの少なくとも1つに対しての酸素、窒素、硫黄、リン、ケイ素またはホウ素の1つ以上の元素を任意に含むことができる。
【０１２７】
本発明による別の実施形態では、Lが、直鎖または分岐であり得る非置換または置換の飽和または不飽和C1〜C25、C1〜C18、C1〜C10またはC1〜C5炭化水素基からなる群から選択される残基であり；
ここで、前記残基の炭素鎖が、酸素、窒素、硫黄、リン、ケイ素またはホウ素の1つ以上の元素を任意に含むことができる。
本発明による別の実施形態では、Lが、直鎖または分岐であり得る非置換または置換の飽和または不飽和C1〜C25、C1〜C18、C1〜C10またはC1〜C5炭化水素基からなる群から選択される残基であり；
ここで、前記残基の炭素鎖が、選択されたシランの少なくとも1つに対しての酸素、窒素、硫黄、リン、ケイ素またはホウ素の1つ以上の元素を任意に含むことができる。
【０１２８】
本発明による別の実施形態では、Lが、直鎖であり得る非置換または置換の飽和または不飽和C1〜C25、C1〜C18、C1〜C10またはC1〜C5炭化水素基からなる群から選択される残基であり；ここで、前記残基の炭素鎖が、酸素、窒素、硫黄、リン、ケイ素またはホウ素の1つ以上の元素を任意に含むことができる。
【０１２９】
本発明による別の実施形態では、Lが、直鎖であり得る非置換または置換の飽和または不飽和C1〜C25、C1〜C18、C1〜C10またはC1〜C5炭化水素基からなる群から選択される残基であり；ここで、前記残基の炭素鎖が、選択されたシランの少なくとも1つに対しての酸素、窒素、硫黄、リン、ケイ素またはホウ素の1つ以上の元素を任意に含むことができる。
【０１３０】
本発明による別の実施形態では、Lが、直鎖であり得る非置換の飽和または不飽和C1〜C25、C1〜C18、C1〜C10またはC1〜C5炭化水素基からなる群から選択される残基であり；ここで、前記残基の炭素鎖が、酸素、窒素、硫黄、リン、ケイ素またはホウ素の1つ以上の元素を任意に含むことができる。
【０１３１】
本発明による別の実施形態では、Lが、直鎖であり得る非置換の飽和または不飽和C1〜C25、C1〜C18、C1〜C10またはC1〜C5炭化水素基からなる群から選択される残基であり；ここで、前記残基の炭素鎖が、選択されたシランの少なくとも1つに対しての酸素、窒素、硫黄、リン、ケイ素またはホウ素の1つ以上の元素を任意に含むことができる。
【０１３２】
本発明による別の実施形態では、Lが、直鎖であり得る非置換の飽和C1〜C25、C1〜C18、C1〜C10またはC1〜C5炭化水素基からなる群から選択される残基であり；ここで、前記残基の炭素鎖が、酸素、窒素、硫黄、リン、ケイ素またはホウ素の1つ以上の元素を任意に含むことができる。
【０１３３】
本発明による別の実施形態では、Lが、直鎖であり得る非置換の飽和C1〜C25、C1〜C18、C1〜C10またはC1〜C5炭化水素基からなる群から選択される残基であり；ここで、前記残基の炭素鎖が、選択されたシランの少なくとも1つに対しての酸素、窒素、硫黄、リン、ケイ素またはホウ素の1つ以上の元素を任意に含むことができる。
【０１３４】
本発明による別の実施形態では、Lが、直鎖であり得る非置換の飽和C1〜C18、非置換の飽和C1〜C10または非置換の飽和C1〜C5炭化水素基からなる群から選択される残基である。
【０１３５】
本発明による別の実施形態では、Lが、選択されたシランの少なくとも1つに対しての直鎖であり得る非置換の飽和C1〜C18、非置換の飽和C1〜C10または非置換の飽和C1〜C5炭化水素基からなる群から選択される残基である。
【０１３６】
本発明による好ましい実施形態では、Lが、式-CH2-CH2-CH2-のラジカルである（実施例1aおよび1b、セクションi）。
【０１３７】
本発明による好ましい実施形態では、Lが、選択されたシランの少なくとも1つに対しての式-CH2-CH2-CH2−のラジカルである（実施例1aおよび1b、セクションi）。
【０１３８】
有機−無機ハイブリッドポリマー、L基、アリーレン
Lの定義において、用語「置換または非置換のアリーレンから選択される残基であり；ここで、前記残基の炭素鎖が、酸素、窒素、硫黄、リン、ケイ素またはホウ素の1つ以上の元素を任意に含むことができる」は、2個の水素原子の損失により単環式または多環式の芳香族炭化水素から誘導される任意の一価の有機基を指し、非置換または置換のアリーレンを含むことを意図し、ここで、前記残基の炭素鎖が、酸素、窒素、硫黄、リン、ケイ素またはホウ素を任意に含むことができる。
【０１３９】
本発明による一実施形態では、置換または非置換のアリーレンは置換アリーレンである。本発明による別の実施形態では、置換または非置換のアリーレンは、非置換アリーレンである。
【０１４０】
有機−無機ハイブリッドポリマー、L基、一般
本発明による一実施形態では、残基の炭素鎖が、酸素、窒素、硫黄、リン、ケイ素またはホウ素の1つ以上の元素を含む。本発明による別の実施形態では、残基の炭素鎖が、酸素、窒素、硫黄、リン、ケイ素またはホウ素の1つ以上の元素を含まない。
【０１４１】
有機−無機ハイブリッドポリマー、X-L基
本発明による一実施形態では、X-L基は、方法に適用される条件下で加水分解されないように選択される。
【０１４２】
有機−無機ハイブリッドポリマー、Y基
本発明による一実施形態では、YがOHである。本発明による別の実施形態では、Yが選択されたシランの少なくとも1つに対してのOHである。本発明による一実施形態では、Yが、アルコキシル、アリールオキシル、カルボキシルおよびハロゲンからなる群から選択される加水分解性基である。本発明による別の実施形態では、Yが、選択されたシランの少なくとも1つに対しての、アルコキシル、アリールオキシル、カルボキシルおよびハロゲンからなる群から選択される加水分解性基である。本発明による一実施形態では、Yが、アルコキシル、カルボキシルおよびハロゲンからなる群から選択される加水分解性基である。本発明による別の実施形態では、Yが、選択されたシランの少なくとも1つに対しての、アルコキシル、カルボキシル、およびハロゲンからなる群から選択される加水分解性基である。本発明による好ましい実施形態では、Yがアルコキシルから選択される加水分解性基であり、最も好ましくはYがエトキシルである（実施例1aおよび1b、セクションi）。本発明による好ましい実施形態では、Yがアルコキシルから選択される加水分解性基であり、最も好ましくはYが、選択されたシランの少なくとも1つに対してもエトキシルである（実施例1aおよび1b、セクションi）。
【０１４３】
本明細書で使用される用語「アルコキシル」は、酸素原子を介して親構造に結合した直鎖および分岐アルキル基の両方を含む。好ましいアルコキシル基は、1〜25個の炭素原子を含有するものであり、メトキシル、エトキシル、プロポキシル、イソプロポキシルなどを含む。さらに、アルコキシル基は、1つ以上の置換基で置換されていてもよい。
【０１４４】
本明細書で使用する用語「カルボキシル」は、カルボニル基を介して親構造に結合したヒドロキシル基、すなわち、下記化学式
【０１４５】
【化１】
2018528924.tif 000003
【０１４６】
の化合物を指し、ここで、Rが親構造であり、XがOHである。
【０１４７】
本明細書で使用される用語「ハロゲン」は、塩素、臭素、フッ素またはヨウ素を指す。
【０１４８】
本明細書で使用する用語「アリールオキシル」は、酸素原子を介して親構造に結合した芳香族基を含む。好ましいアリールオキシル基は、3〜7個の炭素原子を含有するものであり、フェノキシル等を含む。さらに、アリールオキシル基は、1つ以上の置換基で任意に置換されていてもよい。
【０１４９】
好ましい実施形態
本発明による1つの好ましい実施形態では、ポリマーは、式（I）、（II）、（III）または（IV）のシランの制御された加水分解および縮合によって形成され、最も好ましくは式（I）のシランの制御された加水分解および縮合によって形成される。
【０１５０】
【化２】
2018528924.tif 000004
【０１５１】
式（I）は一般式：(X-L-)nSi(-Y)4-nで与えられ；ここで、
Xが-NH2であり；
nが1であり；
Lが-CH2-CH2-CH2-であり；Yが-O-CH2-CH3である。（実施例1aおよび1b、セクションi）
【０１５２】
【化３】
2018528924.tif 000005
【０１５３】
式（II）は、一般式：(X-L-)nSi(-Y)4-nで与えられ；ここで、Xが-N=C=Oであり；nが1であり；
Lが-CH2-CH2-CH2-であり；
Yが-O-CH2-CH3である。
【０１５４】
【化４】
2018528924.tif 000006
【０１５５】
式（III）は、一般式：(X-L-)nSi(-Y)4-nで与えられ；ここで、
Xが-SHであり；
nが1であり；
Lが-CH2-CH2-CH2-であり；
Yが-O-CH2-CH3である。
【０１５６】
【化５】
2018528924.tif 000007
【０１５７】
式（IV）は、一般式：(X-L-)nSi(-Y)4-nで与えられ；ここで、
Xが-OHであり；
nが1であり；
Lが-CH2-CH2-CH2-であり；
Yが-O-CH2-CH3である。
【０１５８】
プロセスステップa）で得られたポリマーがホモポリマーである場合、少なくとも1つの表面処理剤を製造するプロセスの第2のステップは、Xが-NR1R2であり、R1およびR2の少なくとも1つがHであり、またはXが-N=C=O、SHまたはOHである場合に行われるだけである。
【０１５９】
プロセスステップa）で得られたポリマーが共重合体である場合、少なくとも1つの表面処理剤の製造のプロセスにおける第2のステップは、Xが-NR1R2であり、R1およびR2の少なくとも1つが選択されたシランの少なくとも1つに対してのHである；またはXが、選択されたシランまたは選択されたシランの少なくとも1つに対しての-N=C=O、SHまたはOHである場合に行われるだけである。
【０１６０】
第2のステップは、X基の原子と反応物の少なくとも1つの原子との間に共有結合を形成することができる少なくとも1つの反応物を添加することによってポリマーを修飾することを含み、少なくとも1つの反応物は、環式無水物および式R−Zの化合物からなる群から選択される化合物であり、
ここで、Rが、直鎖、分岐または環状であり得る非置換または置換の飽和または不飽和C1〜C25炭化水素基；脂肪族または芳香族カルボニル；および置換もしくは非置換のアリールからなる群から選択される残基であり；
ここで、前記残基の炭素鎖が、酸素、窒素、硫黄、リン、ケイ素またはホウ素のうちの1つ以上の元素；または酸類、アルコール類、フェノール類、アミン類、アルデヒド類またはエポキシド類などの1種以上の化学物質の縮合生成物、付加生成物からなる群から選択される残基を任意に含むことができ；Zが、アルコキシル、アリールオキシ、シクロアルコキシ、カルボキシル、ホルミル、ハロゲン化アシル、イソシアネート、ヒドロキシル、アミン、エポキシド、エステルおよびハロゲンからなる群から選択される残基である。
【０１６１】
少なくとも1つの表面処理剤の製造プロセスにおける第3のステップは必須ではない。
【０１６２】
プロセスステップa）で得られたポリマーがホモポリマーである場合、少なくとも1つの表面処理剤を製造するプロセスにおける第3のステップは、Xが-NR1R2である場合に行われ得る。本発明による一実施形態では、このステップは必須である。
【０１６３】
プロセスステップa）で得られたポリマーが共重合体である場合、少なくとも1つの表面処理剤を製造するプロセスの第3のステップは、Xが選択されたシランまたは選択されたシランの少なくとも1つに対しての-NR1R2である場合に行われ得る。本発明による一実施形態では、このステップは必須である。
【０１６４】
第3のステップは、X基のN原子を第四級ニトロニウムイオンに変換することができる酸を添加することによってポリマーを修飾することを含む。本発明による一実施形態では、X基のN原子を第四級ニトロニウムイオンに変換することができる酸は、ルイス酸またはブレンステッド酸である。本発明による別の実施形態では、X基のN原子を第四級ニトロニウムイオンに変換することができる酸は、ルイス酸である。本発明による別の実施形態では、X基のN原子を第四級ニトロニウムイオンに変換することができる酸はブレンステッド酸である。
【０１６５】
誘導体化度
本発明による一実施形態では、ポリマーは、ポリマーのX基の、少なくとも20％、少なくとも30％、少なくとも40％、少なくとも50％、少なくとも60％、少なくとも70％、少なくとも80％、少なくとも90％、少なくとも95％、少なくとも97％、少なくとも99％または100％などの少なくとも10％を、X基の原子と反応物の少なくとも1つの原子との間に共有結合の形成をもたらす1つの反応物などの少なくとも1つの反応物と反応することによって修飾される。
【０１６６】
本発明による一実施形態では、ポリマーのX基を、X基の原子と反応物の少なくとも1つの原子との間に共有結合の形成をもたらす1つの反応物などの少なくとも1つの反応物と反応させることによってポリマーは修飾され；ただし、ポリマーのX基の少なくとも20％、少なくとも30％、少なくとも40％、少なくとも50％、少なくとも60％、少なくとも70％、少なくとも80％、少なくとも90％、少なくとも95％、少なくとも97％、少なくとも99％または100％などの少なくとも10％が、少なくとも1つの反応物に共有結合する。
【０１６７】
ポリマーのX基の各々および全てが、少なくとも1つの反応物に共有結合した場合、少なくとも1つの表面処理剤を含む組成物は約0のアミン価を有する。0より高いアミン価は、少なくとも1つの反応物に共有結合していない遊離アミン基がなお存在することを示す。
【０１６８】
本発明による一実施形態では、少なくとも1つの表面処理剤を含む組成物は、0〜700、0〜600、0〜500、0〜400、0〜300、0〜200、0〜100、0〜50、0〜40、0〜30、0〜20、0〜10、0〜5、0〜4、0〜3、0〜2または0〜1などの0〜800の範囲内である。一実施形態では、アミン価は0である。
【０１６９】
アミン価は純粋な試料1gあたりのアミン塩基度に相当するKOHのミリグラム数である。本発明の文脈において、用語「純粋な試料」は、表面処理剤の純粋な試料を指すことを意味する。アミン価は、本明細書において、「アミンエポキシド硬化剤：第一級、第二級および第三級アミン基の決定−窒素含有量」（ISO 9702:1996）、DIN EN ISO 9702-1998年10月の英語版に従って測定される。
【０１７０】
本発明による一実施形態では、少なくとも1つの表面処理剤を含む組成物は、0〜5の範囲、好ましくは0〜2の範囲、より好ましくは0〜1の範囲の酸価を有する。酸価は、純粋な試料1gあたりの酸度に相当するKOHのミリグラム数である。本発明の文脈において、用語「純粋な試料」は、有機−無機ハイブリッドポリマーの製造中にポリマーと反応する酸性試薬の純粋な試料を指すことを意味する。酸価は、本明細書において、油（オリーブ油）中の遊離脂肪酸（FFA）の決定、温度滴定−Metrohm Application Note No.H-036;Version1.0に従って測定される。
【０１７１】
反応物の数
本発明のいくつかの実施形態では、ステップa）で得られたポリマーは、ポリマーのX基の1つ以上を、1つの反応物、2つの反応物または3つの反応物などの少なくとも1つの反応物と反応させることによって修飾されて、X基の原子と反応物の少なくとも1つの原子との間に共有結合の形成をもたらす。第2、第3などの反応物は、X基と直接反応してもよく、共有結合を介して既にX基に結合した第1の反応物と反応してもよいことは理解されるべきである。
【０１７２】
反応物との反応に関与するポリマー原子
本発明による一実施形態では、選択されたシランまたは選択されたシランの少なくとも1つのX基は-NH2である。-NH2基が少なくとも1つの反応物と反応すると、X基の窒素原子と反応物の少なくとも1つの原子との間に共有結合が形成される。
【０１７３】
本発明による一実施形態では、選択されたシランまたは選択されたシランの少なくとも1つのX基は、-N=C=Oである。-N=C=O基が少なくとも1つの反応物と反応すると、X基の炭素原子と反応物の少なくとも1つの原子との間に共有結合が形成される。
【０１７４】
本発明による一実施形態では、選択されたシランまたは選択されたシランの少なくとも1つのX基は-SHである。-SH基が少なくとも1つの反応物と反応すると、X基の硫黄原子と反応物の少なくとも1つの原子との間に共有結合が形成される。
【０１７５】
本発明による一実施形態では、選択されたシランまたは選択されたシランの少なくとも1つのX基は-OHである。-OH基が少なくとも1つの反応物と反応すると、X基の酸素原子と反応物の少なくとも1つの原子との間に共有結合が形成される。
【０１７６】
本発明による一実施形態では、nが1である。本発明による別の実施形態では、nが2である。
【０１７７】
反応物、環状無水物
本発明による一実施形態では、少なくとも1つの反応物は環状無水物である。用語「環状無水物」は、ポリカルボン酸の単一分子に由来する無水物を指し、無水物基は、ポリカルボン酸の分子の残部と少なくとも1つの複素環核を形成する。これらは、脂肪族または脂環式ポリカルボン酸、ならびに飽和であるものおよび不飽和であるものを含む、少なくとも2つの隣接するカルボキシ基を有する芳香族および複素環ポリカルボン酸から誘導された無水物を含む。それらは、環状無水物を形成することができるカルボキシ基の2つ以上のセットを含むポリカルボン酸から誘導される無水物ならびに環状無水物を形成することができるカルボキシ基の1つのみのセットを含むポリカルボン酸から誘導される無水物を含み、そのすべては他のカルボキシ基をも含み得る。
【０１７８】
本発明による別の実施形態では、少なくとも1つの反応物は環状無水物であり、用語「環状無水物」は、以下の式
【０１７９】
【化６】
2018528924.tif 000008
【０１８０】
を有する化合物を指す：
ここで、nが0〜10であり；YがO、SまたはN-R1であり；R1は、水素、非置換の飽和または不飽和のC1−25アルキル、置換された飽和または不飽和のC1-25アルキル、置換または非置換のアリール、脂肪族または芳香族カルボニルからなる群から選択される残基であり、
ここで、前記残基の炭素鎖が、酸素、窒素、硫黄、リン、ケイ素、およびホウ素の1つ以上の元素を任意に含み得；またはR1は、酸類、アルコール類、フェノール類、アミン類、アルデヒド類またはエポキシド類などの1種以上の化学物質の縮合生成物または付加生成物から選択される。
【０１８１】
本明細書で使用される用語「アルキル」は、直鎖および／または分岐鎖アルキル基の両方を含む。好ましいアルキル基は、1〜25個の炭素原子を含有するものであり、メチル、エチル、プロピル、イソプロピル、ブチル、イソブチル、tert−ブチルなどが挙げられる。さらに、アルキル基は、1つ以上の置換基で任意に置換されていてもよい。アルキル基は不飽和であっても飽和であってもよい。
【０１８２】
本明細書で使用される用語「アリール」は、1個の水素原子の損失によって単環式または多環式芳香族炭化水素から誘導される任意の一価の有機基を指す。アリール基の例は、環部分に6〜10個の炭素を含む単環式および二環式芳香族基である（例えば、フェニルまたは1−ナフチルおよび2−ナフチルを含むナフチル）。アリール基は、置換または非置換のアリール基であってもよい。
【０１８３】
本明細書で使用される用語「脂肪族カルボニル」は、化合物R-CO-R’を指し、ここで、Rが直鎖、分岐または環状であり得る置換または非置換の飽和または不飽和C1-25アルキルであり、R’がHまたは直鎖、分岐または環状であり得る置換または非置換の飽和または不飽和C1-25アルキルである。
【０１８４】
本明細書で使用される用語「芳香族カルボニル」は、芳香族ケトンまたは芳香族アルデヒドを指す。
【０１８５】
本発明による別の実施形態では、少なくとも1つの反応物は環状無水物であり、用語「環状無水物」は無水フタル酸を指す。
【０１８６】
本発明による一実施形態では、選択されたシランまたは選択されたシランの少なくとも1つのX基は-NH2であり；少なくとも1つの反応物は無水フタル酸である。-NH2基を無水フタル酸と反応させると、-NH2基の窒素原子と無水フタル酸の2個の炭素原子との間に共有結合が形成される（反応スキーム1参照）。
【０１８７】
【化７】
2018528924.tif 000009
【０１８８】
反応物、式R-Zの化合物
本発明による一実施形態では、反応物は、式R-Zの化合物からなる群から選択され、ここで、Rが、直鎖、分岐または環状であり得る非置換または置換の飽和または不飽和C1〜C25炭化水素基；脂肪族または芳香族カルボニル；および置換もしくは非置換のアリールからなる群から選択される残基であり；ここで、前記残基の炭素鎖が、酸素、窒素、硫黄、リン、ケイ素またはホウ素のうちの1つ以上の元素；酸類、アルコール類、フェノール類、アミン類、アルデヒド類またはエポキシド類などの1種以上の化学物質の縮合生成物、付加生成物からなる群から選択される残基を任意に含むことができ；Zが、アルコキシル、アリールオキシ、シクロアルコキシ、カルボキシル、ホルミル、ハロゲン化アシル、イソシアネート、ヒドロキシル、アミン、エポキシド、エステルおよびハロゲンからなる群から選択される残基である。
【０１８９】
反応物、R基、C1〜C25炭化水素基
Rの定義において、用語「直鎖、分岐鎖または環式であり得る非置換または置換の飽和または不飽和C1〜C25炭化水素基；
ここで、前記残基の炭素鎖が、酸素、窒素、硫黄、リン、ケイ素またはホウ素を任意に含むことができる」は、炭素原子1〜18個、炭素原子1〜10個、または炭素原子1〜5個などの25個までの炭素原子を有する炭化水素基を指し、直鎖、分岐および環状の炭化水素基；飽和または不飽和の炭化水素基；非置換または置換の炭化水素基を含むことを意図し；ここで、前記残基の炭素鎖が、酸素、窒素、硫黄、リン、ケイ素またはホウ素の1つ以上の元素を任意に含むことができる。
【０１９０】
一実施形態では、直鎖、分岐または環状であり得る非置換または置換の飽和または不飽和C1〜C25炭化水素基は、直鎖または分岐であり得る非置換または置換の飽和または不飽和C1〜C25、C1〜C18、C1〜C10またはC1〜C5炭化水素基である。一実施形態では、直鎖、分岐または環状であり得る非置換または置換の飽和または不飽和C1〜C25炭化水素基は、直鎖である非置換または置換の飽和または不飽和C1〜C25、C1〜C18、C1〜C10またはC1〜C5炭化水素基である。一実施形態では、直鎖、分岐または環状であり得る非置換または置換の飽和または不飽和C1〜C25炭化水素基は、直鎖である非置換または置換の飽和C1〜C25、C1〜C18、C1〜C10またはC1〜C5炭化水素基である。一実施形態では、直鎖、分岐または環状であり得る非置換または置換の飽和または不飽和C1〜C25炭化水素基は、直鎖である非置換の飽和C1〜C25、C1〜C18、C1〜C10またはC1〜C5炭化水素基である。本発明による別の実施形態では、直鎖、分岐または環状であり得る非置換または置換の飽和または不飽和C1〜C25炭化水素基は、式
【０１９１】
【化８】
2018528924.tif 000010
【０１９２】
の基であり、ここで、Zが反応物のZ基である。
【０１９３】
本発明による一実施形態では、Rが、直鎖、分岐または環状であり得る非置換または置換の飽和または不飽和C1〜C25、C1〜C18、C1〜C10またはC1〜C5炭化水素基からなる群から選択される残基であり；ここで、前記残基の炭素鎖が、酸素、窒素、硫黄、リン、ケイ素またはホウ素の1つ以上の元素を任意に含むことができる。
【０１９４】
本発明による別の実施形態では、Rが、直鎖または分岐であり得る非置換または置換の飽和または不飽和C1〜C25、C1〜C18、C1〜C10またはC1〜C5炭化水素基からなる群から選択される残基であり；
ここで、前記残基の炭素鎖が、酸素、窒素、硫黄、リン、ケイ素またはホウ素の1つ以上の元素を任意に含むことができる。
【０１９５】
本発明による別の実施形態では、Rが、直鎖であり得る非置換または置換の飽和または不飽和C1〜C25、C1〜C18、C1〜C10またはC1〜C5炭化水素基からなる群から選択される残基であり；
ここで、前記残基の炭素鎖が、酸素、窒素、硫黄、リン、ケイ素またはホウ素の1つ以上の元素を任意に含むことができる。
【０１９６】
本発明による別の実施形態では、Rが、直鎖であり得る非置換の飽和または不飽和C1〜C25、C1〜C18、C1〜C10またはC1〜C5炭化水素基からなる群から選択される残基であり；ここで、前記残基の炭素鎖が、酸素、窒素、硫黄、リン、ケイ素またはホウ素の1つ以上の元素を任意に含むことができる。
【０１９７】
本発明による別の実施形態では、Rが、直鎖であり得る非置換の飽和C1〜C25、C1〜C18、C1〜C10またはC1〜C5炭化水素基からなる群から選択される残基であり；ここで、前記残基の炭素鎖が、酸素、窒素、硫黄、リン、ケイ素またはホウ素の1つ以上の元素を任意に含むことができる。
【０１９８】
本発明による別の実施形態では、Rが、直鎖であり得る非置換の飽和C1〜C25、C1〜C18、C1〜C10またはC1〜C5炭化水素基からなる群から選択される残基であり；
ここで、前記残基の炭素鎖が、酸素、窒素、硫黄、リン、ケイ素またはホウ素の1つ以上の元素を任意に含むことができる。
【０１９９】
本発明による別の実施形態では、Rが、直鎖であり得る非置換の飽和C1〜C25、C1〜C18、C1〜C10またはC1〜C5炭化水素基からなる群から選択される残基であり；ここで、前記残基の炭素鎖が、酸素、窒素、硫黄、リン、ケイ素またはホウ素の1つ以上の元素を任意に含むことができる。
【０２００】
本発明による別の実施形態では、Rが、直鎖であり得る非置換の飽和C1〜C25、C1〜C18、C1〜C10またはC1〜C5炭化水素基からなる群から選択される残基であり；ここで、前記残基の炭素鎖が、酸素、窒素、硫黄、リン、ケイ素またはホウ素の1つ以上の元素を任意に含むことができる。
【０２０１】
本発明による別の実施形態では、Rが、直鎖であり得る非置換の飽和C1〜C18、非置換の飽和C1〜C10または非置換の飽和C1〜C5炭化水素基からなる群から選択される残基である。
本発明による好ましい実施形態では、Rが式
【０２０２】
【化９】
2018528924.tif 000011
【０２０３】
の基であり、ここで、Zが反応物のZ基である（実施例1aおよび1b、セクションii）。
【０２０４】
反応物、R基、アリール
Rの定義において、用語「置換または非置換アリールから選択される残基であり；ここで、前記残基の炭素鎖が、酸素、窒素、硫黄、リン、ケイ素またはホウ素の1つ以上の元素を任意に含むことができる」は、1個の水素原子の損失により単環式または多環式の芳香族炭化水素から誘導される任意の一価の有機基を指し、未置換または置換アリールを含むことを意図し；ここで、前記残基の炭素鎖が、酸素、窒素、硫黄、リン、ケイ素またはホウ素の1つ以上の元素を任意に含むことができる。
【０２０５】
本明細書で使用される用語「アリール」は、1個の水素原子の損失によって単環式または多環式芳香族炭化水素から誘導される任意の一価の有機基を指す。アリール基の例は、環部分に6〜10個の炭素を含む単環式および二環式芳香族基である（例えば、フェニルまたは1−ナフチルおよび2−ナフチルを含むナフチル）。アリール基は、置換または非置換のアリール基であってもよい。
【０２０６】
本発明による一実施形態では、Rが、置換または非置換アリールであり、ここで、前記残基の炭素鎖が、酸素、窒素、硫黄、リン、ケイ素またはホウ素の1つ以上の元素を任意に含むことができる。
【０２０７】
反応物、R基、脂肪族または芳香族カルボニル
Rの定義において、用語「脂肪族カルボニル」は、化合物R-CO-R’を指し、ここで、Rが、直鎖、分岐または環状であり得る置換または非置換の飽和または不飽和C1-25アルキルであり、R’が、Hまたは直鎖、分岐または環状であり得る置換または非置換の飽和または不飽和C1-25アルキルである。
【０２０８】
Rの定義において、用語「芳香族カルボニル」は、芳香族ケトンまたは芳香族アルデヒドを指す。
【０２０９】
反応物、R基、縮合生成物または付加生成物
本発明による一実施形態では、Rが、酸類、アルコール類、フェノール類、アミン類、アルデヒド類またはエポキシド類などの1種以上の化学物質の縮合生成物または付加生成物から選択される。本発明による別の実施形態では、Rが、酸類、アルコール類、フェノール類、アミン類、アルデヒド類またはエポキシド類などの1種以上の化学物質の縮合生成物または付加生成物から選択されない。
【０２１０】
反応物、R基、一般
本発明による一実施形態では、Rの定義に列挙された残基の炭素鎖が、酸素、窒素、硫黄、リン、ケイ素またはホウ素の1つ以上の元素を含む。本発明による別の実施形態では、Rの定義に列挙された残基の炭素鎖が、酸素、窒素、硫黄、リン、ケイ素またはホウ素の1つ以上の元素を含まない。
【０２１１】
反応物、Z基
本発明による一実施形態では、Zが、アルコキシル、アリールオキシル、シクロアルコキシル、カルボキシル、ホルミル、ハロゲン化アシル、イソシアネート、ヒドロキシル、アミン、エポキシド、エステルおよびハロゲンからなる群から選択される。
【０２１２】
本明細書で使用される用語「アルコキシル」は、酸素原子を介して親構造に結合した直鎖および／または分岐アルキル基の両方を含む。好ましいアルコキシル基は、1〜25個の炭素原子を含有するものであり、メトキシル、エトキシル、プロポキシル、イソプロポキシルなどが挙げられる。さらに、アルコキシル基は、1つ以上の置換基で置換されていてもよい。
【０２１３】
本明細書で使用する用語「アリールオキシル」は、酸素原子を介して親構造に結合した芳香族基を含む。好ましいアリールオキシル基は、3〜7個の炭素原子を含有するものであり、フェノキシル等を含む。さらに、アリールオキシル基は、1つ以上の置換基で任意に置換されていてもよい。
【０２１４】
本明細書で使用する用語「シクロアルコキシ」は、環状アルコキシ基を含む。好ましいシクロアルキル基は、3〜7個の炭素原子を含むものであり、シクロプロピルオキシル、シクロヘキシルオキシルなどを含む。さらに、シクロアルコキシ基は、1つ以上の置換基で任意に置換されていてもよい。
【０２１５】
本明細書で使用される用語「カルボキシル」は、カルボニル基、すなわち式
【０２１６】
【化１０】
2018528924.tif 000012
【０２１７】
の化合物を介して親構造に結合したヒドロキシ基を指し、ここで、Rが親構造であり、XがOHである。
【０２１８】
本明細書で使用される用語「ホルミル」は、カルボニル基、すなわち式
【０２１９】
【化１１】
2018528924.tif 000013
【０２２０】
の化合物を介して親構造に結合した水素原子を指し、ここで、Rが親構造であり、Xが水素である。
【０２２１】
本明細書で使用される用語「アシルハライド」は、カルボニル基、すなわち式
【０２２２】
【化１２】
2018528924.tif 000014
の化合物を介して親構造に結合したハロゲン原子を指し、ここで、Rが親構造であり、Xがハロゲン原子である。
【０２２３】
本明細書で使用される用語「イソシアネート」は、式R-N=C=Oの化合物を指し、ここで、Rが親構造である。
【０２２４】
本明細書で使用する用語「ヒドロキシル」は、親構造に直接結合したOH基、すなわち式R−OHの化合物を指し、ここで、Rが親構造である。
【０２２５】
本明細書で使用する用語「アミン」は、第一級、第二級、第三級および／または第四級アミンを含む。第一級アミンは、一般式R-NH2を有し、ここで、Rが親構造である。第二級アミンは、一般式R1、R2-NHを有し得、ここで、R1およびR2の一方が親構造である。第三級アミンは、一般式（R1、R2、R3）-Nを有し、ここで、R1、R2およびR3の1つが親構造である。第四級アミンは、一般式（R1、R2、R3、R4）-N+を有し、R1、R2、R3およびR4の1つは親構造である。
【０２２６】
本明細書で使用される「エポキシド」という用語は、親構造に結合した3原子環を有する環状エーテル、すなわち式
【０２２７】
【化１３】
2018528924.tif 000015
【０２２８】
の化合物を指し、ここで、R基の1つが親構造である。
【０２２９】
本明細書で使用される用語「ハロゲン」は、塩素、臭素、フッ素またはヨウ素を指す。
【０２３０】
用語「親構造」は、反応物のR基を指す。
【０２３１】
本発明による一実施形態では、Zが、アルコキシル、カルボキシル、ホルミル、ハロゲン化アシル、イソシアネート、ヒドロキシル、アミン、エポキシド、エステルおよびハロゲンからなる群から選択される。別の実施形態では、Zが、アルコキシル、カルボキシル、ホルミル、ハロゲン化アシル、エポキシド、エステルおよびハロゲンからなる群から選択される。好ましい一実施形態では、Zがカルボキシルである（実施例1aおよび1b、セクションii）。
【０２３２】
反応物、好ましい実施形態
本発明による一実施形態では、反応物は、無水フタル酸などの環状無水物、サリチル酸メチルなどのC1〜C25サリチル酸、飽和または不飽和C1〜C25脂肪酸、4−ヒドロキシ安息香酸メチルなどのC1〜C254−ヒドロキシ安息香酸、乳酸メチルなどの有機酸から形成される一塩基性エステルなどが挙げられる。本発明による別の実施形態では、反応物は、ステアリン酸、エルカ酸、ベヘン酸などの脂肪酸、または水素化された菜種油由来の脂肪酸などの脂肪酸の混合物である。反応物は、アミノラウリン酸またはアミノウンデカン酸などの他の反応物と組み合わせて使用し得ることも理解されるべきである。
【０２３３】
反応物、最も好ましい実施形態
本発明による一実施形態では、有機−無機ハイブリッドポリマーはホモポリマーであり、ポリマーのX基は-NH2であり、少なくとも1つの反応物はベヘン酸である。-NH2基をベヘン酸と反応させると、-NH2基の窒素原子とベヘン酸のカルボキシル炭素原子との間に共有結合が形成される（反応スキーム2参照）。
【０２３４】
【化１４】
2018528924.tif 000016
【０２３５】
反応スキーム2
有機−無機ハイブリッドポリマーの製造、好ましい実施形態
本発明による好ましい実施形態では、少なくとも1つの表面処理剤は、下記一般式
【０２３６】
【化１５】
2018528924.tif 000017
【０２３７】
を備えたシランの制御された加水分解および縮合；および反応生成物を式
【０２３８】
【化１６】
2018528924.tif 000018
【０２３９】
の化合物と反応させることによって製造される（実施例1aおよび1b、セクションii）。
【０２４０】
表面処理剤
本発明による一実施形態では、ポリマーは多面体オリゴマーシルセスキオキサン、すなわち完全縮合オリゴマーシルセスキオキサンである。別の実施形態では、ポリマーは、部分縮合したオリゴマーシルセスキオキサンである。
【０２４１】
部分縮合したシルセスキオキサン（右）および多面体オリゴマーシルセスキオキサン（左）の例を図8に示す。
【０２４２】
一実施形態では、ポリマーは、かご構造を形成する。
【０２４３】
本発明による一実施形態では、ポリマーはゾル−ゲルプロセスによって得ることができる。
【０２４４】
本発明による一実施形態では、少なくとも1つの表面処理剤は、多面体オリゴマーシルセスキオキサンである。別の実施形態では、少なくとも1つの表面処理剤は、部分縮合したオリゴマーシルセスキオキサンである。
【０２４５】
本発明による一実施形態では、少なくとも1つの表面処理剤を含む組成物中に存在する有機−無機ハイブリッドポリマーは、多面体オリゴマーシルセスキオキサンの形態である。別の実施形態では、少なくとも1つの表面処理剤を含む組成物中に存在する有機−無機ハイブリッドポリマーは、実質的に多面体オリゴマーシルセスキオキサンの形態である。
【０２４６】
本発明による一実施形態では、少なくとも1つの表面処理剤を含む組成物中に存在する有機−無機ハイブリッドポリマーは、部分縮合したオリゴマーシルセスキオキサンの形態である。本発明による別の実施形態では、少なくとも1つの表面処理剤を含む組成物中に存在する有機−無機ハイブリッドポリマーは、実質的に部分縮合したオリゴマーシルセスキオキサンの形態である。
【０２４７】
本発明による一実施形態では、少なくとも1つの表面処理剤を含む組成物は、少なくとも1つの有機−無機ハイブリッドポリマーを含む。少なくとも1つの有機−無機ハイブリッドポリマーは、多面体オリゴマーシルセスキオキサン、部分縮合したオリゴマーシルセスキオキサン、非縮合オリゴマーシルセスキオキサンまたはそれらの任意の混合物の形態であり得る。本発明による一実施形態では、少なくとも1つの表面処理剤の総量（モルで表す）で割った多面体オリゴマーシルセスキオキサンの形態である少なくとも1つの表面処理剤の量（モルで表す）は、1〜0.5の範囲内、より好ましくは1〜0.6の範囲内、さらにより好ましくは1〜0.7の範囲内、最も好ましくは1〜0.8の範囲内、例えば1〜0.9または1〜0.95の範囲内である。少なくとも1つの表面処理剤の総量は、本明細書において、少なくとも1つの表面処理剤の全量を指すことを意味し、それが完全縮合した形態、部分縮合した形態、または非縮合形態であるかを無視する。
【０２４８】
本発明による別の実施形態では、少なくとも1つの表面処理剤の総量（モルで表す）で割った多面体オリゴマーシルセスキオキサンの形態である少なくとも1つの表面処理剤の量（モルで表す）は1である。0.9のモル分率は、少なくとも1つの表面処理剤の分子の90％が多面体オリゴマーシルセスキオキサンの形態である一方、少なくとも1つの表面処理剤の分子の10％が部分縮合または非縮合オリゴマーシルセスキオキサンの形態である。
【０２４９】
本発明による一実施形態では、少なくとも1つの表面処理剤は、ゾル−ゲルプロセスによって得ることができる。
【０２５０】
ゾル−ゲルプロセスは、下記一般式：(X-L-)nSi(-Y)4-nによって表されるシランの群から選択される一種のシランの制御された加水分解および縮合；または下記一般式：(X-L-)nSi(-Y)4-nによって表されるシランの群から独立して選択される少なくとも2種の異なるシランの制御された加水分解および縮合を含み得、下記一般式：(X-L-)nSi(-Y)4-nを有するシランは、X-L基が1つ以上のアミン基を含み、外部触媒が必要とされず、かつプロセスが周囲温度または中程度の加熱下で行われ得るので、特に簡単である。1つの例は、国際公開第0208343号パンフレットに記載されているように、3−アミノプロピルトリエトキシシランの制御された加水分解および縮合である。
【０２５１】
X-L基が1つ以上のアミン基を含有するシランの制御された加水分解および縮合は、典型的には、得られる粒状ポリマー生成物は、程度の差はあるが多数の遊離アミン基を備えた超分岐ポリマー生成物に匹敵する有機−無機構造（ハイブリッドポリマー）を有するゾルをもたらす。そのような有機−無機ハイブリッドポリマーは、その重量および／または体積と比較して、多数の官能性アミン基を示す。同時に、線状ポリマーの構造と比較してそのコンパクトな構造は、比較的低い粘度のような望ましい特性を保証する。
【０２５２】
表面処理された粒状無機材料の利用
本発明による表面処理された粒状無機材料は、石こう、セメント、軽量コンクリート、モルタル、人造石、レンガ、プラスチック、複合材料、塗料、コーティング、熱可塑性フォームおよび熱硬化性フォームなどの建築材料への導入に適して、lbdを低下させ、混合物の機械的強度を改善し、水を吸収する能力を低下させる。
【０２５３】
実施例3aおよび5aでは、本発明による表面処理された粒状無機材料を含むジプサム系石こうは、未修飾粒状無機材料を含むジプサム系石こうと比較して改善された機械的強度を有することが実証される。
【０２５４】
さらに、実施例3b、4および5bでは、本発明による表面処理された粒状無機材料を含むセメント系石こうは、未修飾の粒状無機材料を含むセメント系石こうと比較して改善された機械的強度を有することが実証される。
【０２５５】
実施例3c、4bおよび5cは、本発明による表面処理された粒状無機材料が、表面処理されていない同じ粒状無機材料に比べて著しく少ない水を吸収することを実証する。
【０２５６】
上記に加えて、図4から明らかなように、本発明による表面処理された粒状無機材料は、顆粒が破砕後にほとんど損傷を受けずに維持されるため、それが導入される材料に対して改善された機械的強度をもたらすだけでなく、未修飾粒状無機材料と比較してそれ自体改良された機械的強度を有する。この性能は、混合中だけでなく、ポンプ輸送およびバルク輸送（例えば、サイロトラック）中の粒子安定性の向上を意味する。
【０２５７】
実施例3、4および5に示された結果に基づいて、観察された機械的強度の改善に寄与するのは表面被覆であることは明らかである。したがって、改善された機械的強度を長期間持続させるためには、コーティングが共有結合または非共有結合のいずれかで粒状無機材料に強く付着することが重要である。実施例6に示されるように、多量の洗浄後に少量のコーティング材料のみが失われ、これは高い耐久性の明確な指標である。
【０２５８】
本発明の表面処理された粒状無機物は高い耐久性を示すが、シリコーン油で被覆された粒状無機物は比較的低い耐久性を示す。さらに、シリコーン油で被覆された粒状無機材料は、シリコーン油が周知のスリップ剤であるため、モルタル、石こう、セメントおよび軽量コンクリートなどの他の材料との悪い結合を受けることが予想され得る。先に開示したように、強い結合は、典型的には、比較的高い機械的強度に関連し、一方、弱い結合は、典型的には、比較的低い機械的強度に関連する。
【０２５９】
このように、本発明の第2の態様は、本発明の第1の態様による方法によって得ることができる表面処理された粒状無機材料に関する。本発明の第3の態様は、本発明の第2の態様による表面処理された粒状無機材料の、建築材料と混合または建築材料における添加剤としての使用に関する。建築材料は、好ましくは、石こう、セメント、軽量コンクリート、モルタル、人造石、レンガ、プラスチック、複合材料、塗料、コーティング、熱可塑性フォームおよび熱硬化性フォームからなる群から選択される；および本発明の第4の態様は、本発明の第2の態様による表面処理された粒状無機材料を含む建築材料に関する。建築材料は、好ましくは、石こう、セメント、軽量コンクリート、モルタル、人造石、レンガ、プラスチック、複合材料、塗料、コーティング、熱可塑性フォームおよび熱硬化性フォームからなる群から選択される。
【０２６０】
本発明の第2の態様による一実施形態では、本発明の第1の態様による方法によって得ることができる表面処理された粒状無機材料は、混合物のlbdを低下させるための建築材料への導入に適している。本発明による別の実施形態では、本発明の第1の態様による方法によって得ることができる表面処理された粒状無機材料は、混合物の機械的強度を向上させるための建築材料への導入に適している。
【０２６１】
実施例
以下の実施例は、本発明の製造方法および使用方法を説明するためのものである。これらは、いかなる方法によっても、または少しも本発明の範囲を限定することを意図するものではない。
【０２６２】
実施例1a
ベヘン酸を用いた有機無機ハイブリッドポリマーの製造
i）ポリマーの調製プロセス：
ホース冷却器を備えた1000mL丸底フラスコに、窒素雰囲気下で磁気撹拌しながら、221.4g（1.00モル）の3−アミノプロピルトリエトキシシラン（A-1100、GE Silicones、USA）を入れた。64.9g（0.60モル）の1−プロポキシ−2−プロパノールと23.4g（1.30モル）の水の混合物を添加した。混合物を80℃の油浴中で還流下で45分間加熱した。次いで、揮発性の反応生成物または反応物を、約150℃の油浴温度および約1000mbarから20mbar未満の真空勾配で、真空蒸留で除去した。丸底フラスコ内の圧力が10分間で20mbar以下になったところで蒸留を終了した。反応生成物を約120℃の温度に冷却し、1−プロポキシ−2−プロパノールで希釈して、1−プロポキシ−2−プロパノール中にポリマー50重量％が溶解した溶液を得た。
【０２６３】
ii）ステップi）で得られたポリマーを修飾するプロセス
i）で得られた1−プロポキシ−2−プロパノール中にポリマー50重量％が溶解した溶液1．8kgと1−プロポキシ−2−プロパノール0.9kgとの混合物を、蒸留手段を備えた10L反応器に入れた。混合物を135〜145℃の温度に加熱し、次いで留出物コレクターで開放バルブを用いて圧力を800mbarに設定した。ベヘン酸6.37kgとキシレン12.74kgとの混合物を、反応容積が一定になるようにして、すなわち、添加量が蒸留中に留去される量に相当するようにして徐々に添加した。留出物中に水が見えなくなるまで、キシレンを連続的に添加し、留去する。その後、圧力を500mbarに下げる。反応器にアルゴンを充填し、圧力を800mbarに調整し、反応生成物を60℃の温度に冷却する。この反応生成物をキシレン、ブトキシエタノールおよびエタノールで希釈し、溶媒混合物中に有機−無機ハイブリッドポリマー5重量％が溶解した溶液を得る（キシレン／ブトキシエタノール／エタノール1.45/0.65/10重量％）。
【０２６４】
実施例1b
ベヘン酸を用いた有機無機ハイブリッドポリマーの製造
i）ポリマーの調製プロセス：
ホース冷却器を備えた1000mL丸底フラスコに、窒素雰囲気下で磁気撹拌しながら、221.4g（1.00モル）の3−アミノプロピルトリエトキシシラン（A-1100、GE Silicones、USA）を入れた。1−プロポキシ−2−プロパノール64.9g（0.60モル）と水28．8g（1.60モル）の混合物を添加した。混合物を80℃の油浴中で還流下で45分間加熱した。次いで、揮発性の反応生成物または反応物を、約150℃の油浴温度および約1000mbarから20mbar未満の真空勾配で、真空蒸留で除去した。丸底フラスコ内の圧力が10分間で20mbar以下になったところで蒸留を終了した。反応生成物を約120℃の温度に冷却し、1−プロポキシ−2−プロパノールで希釈して、1−プロポキシ−2−プロパノール中にポリマー50重量％が溶解した溶液を得た。
【０２６５】
ii）ステップi）で得られたポリマーを修飾するプロセス
i）で得られた1−プロポキシ−2−プロパノール中にポリマー50重量％が溶解した溶液1.8kgと1−プロポキシ−2−プロパノール0.9kgとの混合物を、蒸留手段を備えた10L反応器に入れた。混合物を135〜145℃の温度に加熱し、次いで留出物コレクターで開放バルブを用いて圧力を800mbarに設定した。ベヘン酸6.37kgとトルエン12.74kgとの混合物を、反応容積が一定になるようにして、すなわち、添加量が蒸留中に留去される量に相当するようにして徐々に添加した。留出物中に水が見えなくなるまで、トルエンを連続的に添加し、留去する。その後、圧力を500mbarに下げる。反応器にアルゴンを充填し、圧力を800mbarに調整し、反応生成物を60℃の温度に冷却する。反応生成物をブトキシエタノールとエタノールで希釈し、溶媒混合物に有機−無機ハイブリッドポリマー5重量％が溶解した溶液（ブトキシエタノール／エタノール1:1重量％）を得る。
【０２６６】
実施例2a
表面処理された熱膨張パーライトの製造
i）熱膨張パーライト
熱膨張パーライトは、以下の特性を有するパイロット生成物である。
【０２６７】
【表１】
2018528924.tif 000019
【０２６８】
ii）表面処理剤を含む組成物
実施例1b、セクションii）で得られた希釈反応生成物。
【０２６９】
iii）表面処理された熱膨張パーライト
熱膨張パーライト（i）120gを2L反応器に導入した。反応器は、表面処理剤（ii）の連続流をもたらす管接続部を両側に備えていた。表面処理剤（ii）は、リザーバから入手可能であり、ポンプによって支持された密閉系内を循環する。表面処理剤の流速は、48時間の滞留時間で10〜15ml／分であった。次いで、表面処理された膨張パーライトに、洗浄ステップ、すなわち水またはエタノールのそれぞれの循環を施し、次いで乾燥ステップを施した。
【０２７０】
iv）熱重量分析（TGA）
試料1:10mgの表面処理された熱膨張パーライト（iii）
試料1に、以下のステップを施した；N2雰囲気下、20℃／分で30℃〜190℃の熱処理；190℃の温度で60分間の熱処理；20℃／分で190℃〜900℃の熱処理、ここで、温度が770℃に達したときに雰囲気をN2雰囲気から空気雰囲気に変える。
【０２７１】
有機質部分は、上記の熱処理中に酸化される。熱処理中の質量損失を測定することにより、熱膨張パーライトに付着した有機質部分の量、特に表面処理剤の量を測定し得る。
【０２７２】
上記熱処理中の温度（℃）の関数としての質量損失（重量％）を図1に示す。この曲線は、試料1についての温度の関数としての質量損失を反映する。900℃までの加熱時の質量損失に基づいて、熱膨張パーライト：表面処理剤の比は80:20pbw（重量部）と算出した。
【０２７３】
実施例2b
表面処理された従来の膨張パーライトの製造
i）従来の膨張パーライト
従来の膨張パーライトは、以下の特性を有する市販の生成物である。
【０２７４】
【表２】
2018528924.tif 000020
【０２７５】
ii）表面処理剤を含む組成物
実施例1b、セクションii）で得られた希釈反応生成物。
【０２７６】
iii）表面処理された熱膨張パーライト
エタノール250mlで濡らした従来の膨張パーライト（i）250gを10L流動床処理装置に導入した。流動床処理装置は、表面処理剤（ii）の噴霧をもたらす噴霧ノズルを備えていた。表面処理剤（ii）はリザーバから入手可能である。表面処理剤の流速は、12〜15分の滞留時間で10〜15ml／分であり、次いで乾燥ステップを施した。
【０２７７】
iv）熱重量分析（TGA）
試料1：表面処理された従来の膨張パーライト（iii）2.5mg
試料1に、以下のステップを施した；N2雰囲気下、20℃／分で30℃〜190℃の熱処理；190℃の温度で60分間の熱処理；20℃／分で190℃〜900℃の熱処理、ここで、温度が770℃に達したときに雰囲気をN2雰囲気から空気雰囲気に変える。
有機質部分は、上記の熱処理中に酸化される。熱処理中の質量損失を測定することにより、従来の膨張パーライトに付着した有機質部分の量、特に表面処理剤の量を測定し得る。
【０２７８】
上記熱処理中の温度（℃）の関数としての質量損失（重量％）を図2に示す。この曲線は、試料1についての温度の関数としての質量損失を反映している。900℃までの加熱時の質量損失に基づいて、従来の膨張パーライト：表面処理剤の比は95:5pbw（重量部）と算出した。
【０２７９】
実施例2c
表面処理された従来の膨張パーライトの製造
i）従来の膨張パーライト
従来の膨張パーライトは、以下の特性を有する市販の生成物である。
【０２８０】
【表３】
2018528924.tif 000021
【０２８１】
ii）表面処理剤を含む組成物
実施例1a、セクションii）で得られた希釈反応生成物。
【０２８２】
iii）表面処理された熱膨張パーライト
エタノール20kgで湿らせた従来の膨張パーライト（i）20kgを450L流動床処理装置に導入した。流動床処理装置は、表面処理剤（ii）の噴霧をもたらすプロセッサの底部に3つの噴霧ノズルを備えていた。表面処理剤（ii）はリザーバから入手可能である。滞留時間18分で表面処理剤の流量は600m3／時間であった。次いで、表面処理された膨張パーライトに、洗浄ステップ、すなわち水またはエタノールのそれぞれの循環を施し、次いで乾燥ステップを施した。
【０２８３】
iv）熱重量分析（TGA）
試料1：表面処理された従来の膨張パーライト（iii）2.440mg。
試料1に、以下のステップを施した；N2雰囲気下、20℃／分で30℃〜190℃の熱処理；190℃の温度で60分間の熱処理；20℃／分で190℃〜900℃の熱処理、ここで、温度が770℃に達したときに雰囲気をN2雰囲気から空気雰囲気に変える。
【０２８４】
有機質部分は、上記の熱処理中に酸化される。熱処理中の質量損失を測定することにより、従来の膨張パーライトに付着した有機質部分の量、特に表面処理剤の量を測定し得る。
【０２８５】
上記熱処理中の温度（℃）の関数としての質量損失（重量％）を図3に示す。この曲線は、試料1についての温度の関数としての質量損失を反映している。900℃までの加熱時の質量損失に基づいて、従来の膨張パーライト：表面処理剤の比は95:5pbw（重量部）と算出した。
【０２８６】
実施例3a
ジプサム系石こう−修飾熱膨張パーライト
ジプサム系石こうは、ジプサム、膨張パーライト、添加剤および水から合成する。2.2wt％の膨張パーライトを含む3種類のジプサム石こうを調製し、混合、塗布および硬化の間の取り扱い、ならびに最終的な機械的性質の順位付けに関して試験した。異なる石こうは、表4に列挙された膨張パーライト生成物から選択された膨張パーライトを除いて、同じ成分を使用して同じ方法によって調製した。試験の結果を表5に示す。
【０２８７】
【表４】
2018528924.tif 000022
【０２８８】
【表５】
2018528924.tif 000023
【０２８９】
修飾熱膨張パーライト（80:20）を含む配合物は、試験に使用される他の配合物に匹敵する作業性および適用性を示す。しかし、気泡の含有量が非常に低いことは、破砕の際に石こう表面を記録するSEM（走査型電子顕微鏡）画像によって記録された（図4参照）。気泡の含有量が少ないと、曲げ引張強度（βBZ=1.54N/mm2）、圧縮強度（βD＝5.12N/mm2）、e−係数（静的：2550N/mm2、動的：2.9GPa）の向上などの機械的特性を向上することを説明し得る。これらのパラメータは、向上した圧縮強度に関連し得、従来の膨張パーライト（標準）を使用する標準配合と比較して、約30％の性能向上に対応する。さらに、図4は、顆粒が破砕後にほとんど損傷を受けずに維持されるので、修飾熱膨張パーライト（80;20）のより良好な機械的安定性も示す。
【０２９０】
実施例3b
セメント系石こう−修飾熱膨張パーライト
セメント系石こうは、ポルトランドセメント、膨張パーライト（部分的または完全な砂の交換用）、鉱物系可塑剤、水和石灰および水から合成する。1.35wt％の膨張パーライトを含む異なる3種類のセメント系石こうを調製し、混合、塗布および硬化の間の取り扱い、ならびに最終的な機械的特性のランク付けに関して試験した。異なる石こうは、表4に列挙された膨張パーライト生成物から選択された膨張パーライトを除いて、同じ成分を使用して同じ方法によって調製した。試験の結果を表6に示す。
【０２９１】
【表６】
2018528924.tif 000024
【０２９２】
実施例3c
吸水率−修飾熱膨張パーライト
軽量充填剤の吸水率（水の取り込み）は、試料0.100gを用いて、Enslin法（DIN 18132）を用いて決定する（表4参照）。修飾熱膨張パーライトは、水取り込みを89％減少し、未修飾熱膨張パーライト3.95g/gの水取り込みと比較して、膨張パーライト0.55g/gの水取り込みをもたらす。（図9）
【０２９３】
実施例4a
セメント系石こう−従来の修飾膨張パーライト
セメント系石こうは、ポルトランドセメント、膨張パーライト（部分的または完全な砂の交換用）、鉱物系可塑剤、水和石灰および水から合成する。1.35wt％の膨張パーライトを含有する異なる2種類のセメント系石こうを調製し、混合、塗布および硬化の間の取り扱い、ならびに最終機械的特性のランク付けに関して試験した。異なる石こうは、表7に列挙された膨張パーライト生成物から選択された膨張パーライトを除いて、同じ成分を使用して同じ方法によって調製した。試験の結果を表8に示す。
【０２９４】
【表７】
2018528924.tif 000025
【０２９５】
【表８】
2018528924.tif 000026
【０２９６】
実施例4b
吸水率−修飾された従来の膨張パーライト
軽量充填剤の吸水率（水の取り込み）は、試料0.100gを用いて、Enslin法（DIN 18132）を用いて決定する（表7参照）。修飾された従来の膨張パーライト（95:5）は、水の取り込みを46％減少し、未修飾の従来の膨張パーライト0.88g/gの水の取り込みと比較して、膨張パーライト0.48g/gの水の取り込みをもたらす（図10）。
【０２９７】
実施例5a
ジプサム系石こう−修飾された従来の膨張パーライト
ジプサム系石こうは、ジプサム、膨張パーライト、添加剤および水から合成する。2.2wt％の膨張パーライトを含む異なる2種類のジプサム系石こうを調製し、混合、塗布および硬化の間の取り扱い、ならびに最終的な機械的特性のランク付けに関して試験した。表9に列挙された膨張パーライト生成物から選択した膨張パーライトを除いて、同じ成分を使用して同じ方法で異なる石こうを調製した。試験の結果を表10に示す。
【０２９８】
【表９】
2018528924.tif 000027
【０２９９】
【表１０】
2018528924.tif 000028
【０３００】
実施例5b
セメント系石こう−従来の修飾膨張パーライト
セメント系石こうは、ポルトランドセメント、膨張パーライト（部分的または完全な砂の交換用）、鉱物系可塑剤、水和石灰および水から合成する。1.35wt％の膨張パーライトを含有する異なる2種類のセメント系石こうを調製し、混合、塗布および硬化の間の取り扱い、ならびに最終機械的特性のランク付けに関して試験した。表9に列挙された膨張パーライト生成物から選択した膨張パーライトを除いて、同じ成分を使用して同じ方法で異なる石こうを調製した。試験の結果を表11示す。
【０３０１】
【表１１】
2018528924.tif 000029
【０３０２】
実施例5c
吸水率−修飾された従来の膨張パーライト
軽量充填剤の吸水率（水の取り込み）は、試料0.100gを用いて、Enslin法（DIN 18132）により決定する（表9参照）。修飾された従来の膨張パーライト（95:5）は、未修飾の従来の膨張パーライト0.88g/gの水の取り込みと比較して、水の取り込みを38％低減し、膨張パーライト0.55g/gの水の取り込みをもたらす（図11）。
【０３０３】
実施例6
膨張パーライト上の表面被覆の耐久性
i）化学物質
ヘキサメチルジシロキサン
HMDSO、puriss．、≧98.5％（GC）;CAS
番号107-46-0;52630 Fluka
シリコーン油
[-Si(CH3)2O-]n、粘度 10 cSt（25℃）；
CAS番号63148-62-9；378321
Aldrich
ステアリン酸
グレードI、≧98.5％（毛管GC）；CAS
番号57-11-4;S4751 Sigma
有機−無機ハイブリッドポリマー
実施例1b、セクションii）で得られた希釈反応生成物
【０３０４】
ii）コーティング溶液の調製
-  ヘキサメチルジシロキサン（i）2.5gをエタノール122.5gに溶解した。
-  シリコーン油（i）2.5gをエタノール122.5gに溶解した。
-  ステアリン酸（i）2.5gをエタノール122.5gに溶解した。
-  K−ステアレート（i）2.5gをエタノール122.5gに溶解した（K−ステアレートはステアリン酸と等モルのKOH（固体）から調製した）。
-  実施例1b、セクションii）で得られた希釈された反応生成物を、エタノールを用いてさらに希釈して、有機−無機ハイブリッドポリマーが2重量％溶解した溶液を得た。
【０３０５】
iii）「洗浄手順前」の試料の調製
熱膨張パーライト5g（実施例2a、セクションiで言及した生成物）をティーバッグに充填し、磁気攪拌下のコーティング溶液（ii）のうちの1つに72時間浸漬した。充填したティーバッグを溶液から取り出し、20分間磁気攪拌しながらエタノール100mlに浸漬することによって洗浄した。次に、充填したティーバッグを、室温で16時間、40℃で2時間、次いで室温で16時間乾燥させた。
【０３０６】
基準試料は、コーティング溶液をエタノールで置き換えている以外は、上記方法に従って調製する。
【０３０７】
iv）「洗浄手順後」の試料の調製
熱膨張パーライト5g（実施例2a、セクションiで言及した生成物）をティーバッグに充填し、磁気攪拌下のコーティング溶液（ii）のうちの1つに72時間浸漬した。充填したティーバッグを溶液から取り出し、20分間磁気攪拌しながらエタノール100mlに浸漬することによって洗浄した。次に、充填したティーバッグを、室温で16時間、40℃で2時間、次いで室温で16時間乾燥させた。
【０３０８】
次に、充填されたティーバッグに、磁気攪拌下で20分間エタノール100mlに浸漬し、室温での良好な換気（24時間）、2時間／40℃および最終室温乾燥（16時間）することによって次の洗浄手順を2回施した。
【０３０９】
基準試料は、コーティング溶液をエタノールで置き換えている以外は、上記方法に従って調製する。
【０３１０】
v）熱重量分析（TGA）
試料1
「洗浄前」の基準熱膨張パーライト10mg
試料2
「洗浄後」の基準熱膨張パーライト10mg
試料3
「洗浄前」のシリコーン油で被覆された熱膨張パーライト10mg
試料4
「洗浄後」のシリコーン油で被覆された熱膨張パーライト10mg
試料5
「洗浄前」のヘキサメチルジシロキサンで被覆された熱膨張パーライト10mg
試料6
「洗浄後」のヘキサメチルジシロキサンで被覆された熱膨張パーライト10mg
試料7
「洗浄前」のステアリン酸で被覆された熱膨張パーライト10mg
試料8
「洗浄後」のステアリン酸で被覆された熱膨張パーライト10mg
試料9
「洗浄前」のK−ステアレートで被覆された熱膨張パーライト10mg
試料10
「洗浄後」のK−ステアレートで被覆された熱膨張パーライト10mg
試料11
「洗浄前」の有機無機ハイブリッドポリマーで被覆された熱膨張パーライト10mg
試料12
「洗浄後」の有機無機ハイブリッドポリマーで被覆された熱膨張パーライト10mg
【０３１１】
試料1〜12に、以下のステップを独立して施した；N2雰囲気下、20℃／分で30℃〜190℃の熱処理；190℃の温度で60分間の熱処理；20℃／分で190℃〜900℃の熱処理、ここで、温度が770℃に達したときに雰囲気をN2雰囲気から空気雰囲気に変える。
【０３１２】
有機質部分は、上記の熱処理中に酸化される。熱処理中の質量損失を測定することにより、熱膨張パーライトに付着した有機質部分の量、特に表面処理剤の量を測定し得る。
【０３１３】
図6に示す熱重量分析の結果から分かるように、熱膨張パーライトに付着した有機−無機ハイブリッドポリマーの量（重量）は、他のコーティング材料と比較して優れている。この結果はまた、有機−無機ハイブリッドポリマーが、試料に広範囲の洗浄手順を施した後にわずかな量だけのコーティングが失われるので、他の代替コーティング材料と比較して高い耐久性を有することを明白に示している。
【０３１４】
図6において、縦軸は熱重量分析によって測定した重量損失（重量％）、横軸は異なるタイプの表面コーティングを表している。また、Aは非被覆膨張パーライト（参考）；Bはシリコーン油で被覆された膨張パーライト；Cはヘキサメチルジシロキサンで被覆された膨張パーライト；Dはステアリン酸で被覆された膨張パーライト；Eはk−ステアレートで被覆された膨張パーライト；Fは有機−無機ハイブリッドポリマーで被覆された膨張パーライトを、それぞれ示す。さらに、Xが洗浄処理前を示し、Yが洗浄処理後を示す。
【０３１５】
実施例7
表面処理された軽量膨張粘土骨材の製造
i）軽量膨張粘土骨材
軽量膨張粘土骨材は、市販品であり、以下の特徴を有し得る。
【０３１６】
【表１２】
2018528924.tif 000030
【０３１７】
ii）表面処理剤を含む組成物
実施例1a、セクションii）で得られた希釈反応生成物。
【０３１８】
iii）表面処理された軽量膨張粘土骨材
軽量膨張粘土骨材（i）を2L反応器に導入した。反応器は、表面処理剤（ii）の連続流をもたらす管接続部を両側に備えていた。表面処理剤（ii）は、リザーバから入手可能であり、ポンプによって支持された密閉系内を循環する。表面処理剤の流速は、48時間の滞留時間で10〜15ml／分であった。次いで、表面処理した軽量膨張粘土骨材に、洗浄ステップ、すなわち水またはエタノールの循環を施した後、乾燥ステップを施した。
【０３１９】
iv）熱重量分析（TGA）
試料1：表面処理された軽量膨張粘土骨材（iii）11mg。
試料2：対照として未修飾軽量膨張粘土骨材5.5mg。
【０３２０】
試料1および試料2に以下のステップを施した：N2雰囲気下、20℃／分で30℃〜190℃の熱処理；190℃の温度で60分間の熱処理；20℃／分で190℃〜900℃の熱処理、ここで、温度が770℃に達したときに雰囲気をN2雰囲気から空気雰囲気に変える。
【０３２１】
試料1中の有機質部分は、上記の熱処理中に酸化する。熱処理中の質量損失を測定することにより、熱膨張パーライトに付着した有機質部分の量、特に表面処理剤の量を、特に試料2について観察された質量損失と比較した後に（すなわち、試料1についての補正質量損失）測定し得る。
【０３２２】
上記熱処理中の温度（℃）の関数としての補正質量損失（重量％）を図12に示す。この曲線は、対照として使用された未修飾軽量膨張粘土骨材（試料2）と比較して、試料1についての温度の関数としての質量損失を反映する。900℃までの加熱時の質量損失に基づいて、軽量膨張粘土骨材の比：表面処理剤は99,80:0,20pbw（重量部）と算出した。
【０３２３】
実施例8
吸水−修飾軽量膨張粘土骨材
【０３２４】
【表１３】
2018528924.tif 000031
【０３２５】
NS-EN 1097-6:2000（1時間の吸水量）に基づく内部方法により、試料約50gを使用して軽量膨張粘土骨材の吸水量（吸水量）を決定する（表12参照）。修飾軽量膨張粘土骨材は、水の取り込みを60%減少させ、比較試験での約6.3%m/mの修飾軽量膨張粘土骨材の水の取り込みに関連して約4.0%m/mの修飾軽量膨張粘土骨材の水の取り込みをもたらす。
【図１】
2018528924.tif 000032
【図２】
2018528924.tif 000033
【図３】
2018528924.tif 000034
【図４】
2018528924.tif 000035
【図５】
2018528924.tif 000036
【図６】
2018528924.tif 000037
【図７】
2018528924.tif 000038
【図８】
2018528924.tif 000039
【図９】
2018528924.tif 000040
【図１０】
2018528924.tif 000041
【図１１】
2018528924.tif 000042
【図１２】
2018528924.tif 000043
【手続補正書】
【提出日】平成29年2月27日(2017.2.27)
【手続補正１】
【補正対象書類名】特許請求の範囲
【補正対象項目名】全文
【補正方法】変更
【補正の内容】
【特許請求の範囲】
【請求項１】
表面処理された粒状無機材料の製造方法であって、
前記方法が、以下のステップ：
粒状無機材料を準備するステップ；および
前記粒状無機材料を少なくとも1つの表面処理剤を含む組成物と接触させ、それによって表面処理された粒状無機材料を得るステップを含み、
前記少なくとも1つの表面処理剤が有機−無機ハイブリッドポリマーであり；
前記有機−無機ハイブリッドポリマーが、以下のステップを含むプロセスによって得ることができるポリマーの群から選択される：
a）下記一般式：(X-L-)nSi(-Y)4-nによって表されるシランの群から選択される一種のシランの制御された加水分解および縮合によってポリマーを形成するステップ；または
下記一般式：(X-L-)nSi(-Y)4-nによって表されるシランの群から独立して選択される少なくとも異なる2種のシランの制御された加水分解および縮合によってポリマーを形成するステップ；
ここで、
Xが-NR1R2、-N=C=O、SHまたはOHであり；
R1およびR2が、水素；直鎖、分岐または環状であり得る非置換または置換の飽和または不飽和C1〜C25炭化水素基；脂肪族または芳香族カルボニル；および置換もしくは非置換のアリールからなる群から独立して選択された残基であり；
ここで、前記残基の炭素鎖が、酸素、窒素、硫黄、リン、ケイ素またはホウ素のうちの1つ以上の元素を任意に含むことができ；またはR1およびR2が、酸類、アルコール類、フェノール類、アミン類、アルデヒド類またはエポキシド類などの1種以上の化学物質の縮合生成物、付加生成物からなる群から独立して選択され；
nが1または2であり；
Lが、直接結合；または直鎖、分岐または環状であり得る非置換または置換の飽和または不飽和C1〜C25炭化水素基；および置換または非置換のアリーレンからなる群から選択される残基であり；
ここで、前記残基の炭素鎖が、酸素、窒素、硫黄、リン、ケイ素またはホウ素のうちの1つ以上の元素を任意に含むことができ；
Yが加水分解性基またはOHであるステップ；
b）Xが-NR1R2であり、R1およびR2の少なくとも1つが選択されたシランまたは選択されたシランの少なくとも1つに対してのHである場合；またはXが、選択されたシランまたは選択されたシランの少なくとも1つに対しての-N=C=O、SHまたはOHである場合、
X基の原子と反応物の少なくとも1つの原子との間に共有結合を形成することができる少なくとも1つの反応物を添加するステップ；
少なくとも1つの反応物が、環状無水物および式R-Zの化合物からなる群から選択される化合物であり、
ここで、Rが、直鎖、分岐または環状であり得る非置換または置換の飽和または不飽和C1〜C25炭化水素基；脂肪族または芳香族カルボニル；および置換もしくは非置換のアリールからなる群から選択される残基であり；
ここで、前記残基の炭素鎖が、酸素、窒素、硫黄、リン、ケイ素またはホウ素のうちの1つ以上の元素；または酸類、アルコール類、フェノール類、アミン類、アルデヒド類またはエポキシド類などの1種以上の化学物質の縮合生成物、付加生成物からなる群から選択される残基を任意に含むことができ；
Zが、アルコキシル、アリールオキシ、シクロアルコキシ、カルボキシル、ホルミル、ハロゲン化アシル、イソシアネート、ヒドロキシル、アミン、エポキシド、エステルおよびハロゲンからなる群から選択される残基であるステップ；
c）Xが、選択されたシランまたは選択されたシランの少なくとも1つに対しての-NR1R2である場合、
必要に応じて、前記X基のN原子を第四級ニトロニウムイオンに変換することができる酸を添加するステップを含む、方法。
【請求項２】
前記粒状無機材料が、パーライト、膨張パーライト、ベントナイト、ケイソウ土、シリカ、重晶石、ジプサム、石灰石、カオリン、粘土、膨張粘土、バイオ炭、マイカ、タルク、バーミキュライト、合成カルシウムシリケート水和物、天然ケイ酸塩、フライアッシュ、ガラスなどの火山灰や他の火山生成物、スラグ、軽石、頁岩、合成ケイ酸塩、アルミノケイ酸塩、ケイソウ土、ウォラストナイト、スレート、膨張スレート；またはそれらの任意の混合物からなる群から選択される、請求項1に記載の方法。
【請求項３】
前記粒状無機材料が、10〜950kg/m3の範囲の有効粒子密度またはゆるめ嵩密度を有する、請求項1に記載の方法。
【請求項４】
前記粒状無機材料が、30〜150kg/m3の範囲の有効粒子密度またはゆるめ嵩密度を有する、請求項1に記載の方法。
【請求項５】
前記粒状無機材料を少なくとも1つの表面処理剤を含む組成物と接触させるステップが、少なくとも1つの表面処理剤を含む組成物の少なくとも1層を前記粒状無機材料上に塗布することを含む、請求項1に記載の方法。
【請求項６】
粒状無機材料：表面処理剤の比が99.9:0.1pbw〜70:30pbwの範囲内である、請求項1に記載の方法。
【請求項７】
Xが-NR1R2である、請求項1に記載の方法。
【請求項８】
Xが、選択されたシランの少なくとも1つに対しての-NR1R2である、請求項1に記載の方法。
【請求項９】
Lが、直鎖、分岐または環状であり得る非置換または置換の飽和または不飽和C1〜C25炭化水素基；および置換または非置換のアリーレンからなる群から選択される残基であり；ここで、前記残基の炭素鎖が、酸素、窒素、硫黄、リン、ケイ素またはホウ素の1つ以上の元素を任意に含むことができる、請求項1に記載の方法。
【請求項１０】
Lが、直鎖、分岐または環状であり得る非置換または置換の飽和または不飽和C1〜C25炭化水素基；および置換または非置換のアリーレンからなる群から選択される残基であり；ここで、前記残基の炭素鎖が、選択されたシランの少なくとも1つに対しての酸素、窒素、硫黄、リン、ケイ素またはホウ素の1つ以上の元素を任意に含むことができる、請求項1に記載の方法。
【請求項１１】
YがOHまたはアルコキシル、アリールオキシル、カルボキシルおよびハロゲンからなる群から選択される加水分解性基である、請求項1に記載の方法。
【請求項１２】
YがOHまたは選択されたシランの少なくとも1つに対してのアルコキシル、アリールオキシル、カルボキシルおよびハロゲンからなる群から選択される加水分解性基である、請求項1に記載の方法。
【請求項１３】
前記少なくとも1つの反応物が、無水フタル酸などの環状無水物、サリチル酸メチルなどのC1〜C25サリチル酸塩、飽和または不飽和C1〜C25脂肪酸、4−ヒドロキシ安息香酸メチルなどのC1〜C254−ヒドロキシ安息香酸エステル、乳酸メチルなどの有機酸から形成される一塩基性エステル、およびエポキシドからなる群から選択される、請求項1に記載の方法。
【請求項１４】
前記粒状無機材料が、膨張パーライトであり；
前記ポリマーが、下記一般式：(X-L-)nSi(-Y)4-nによって表されるシランの群から選択される一種のシランの制御された加水分解および縮合によって形成され；
XがNH2であり；
nが1であり；
Lが-CH2-CH2-CH2-であり；および
Yが-O-CH2-CH3である、請求項1に記載の方法。
【請求項１５】
前記少なくとも1つの反応物がベヘン酸である、請求項14に記載の方法。
【請求項１６】
前記少なくとも1つの表面処理剤を含む組成物が、少なくとも1つの表面処理剤を含む水性組成物である、請求項1に記載の方法。
【請求項１７】
前記少なくとも1つの表面処理剤を含む水性組成物が、少なくとも1つの乳化剤をさらに含む、請求項16に記載の方法。
【請求項１８】
前記少なくとも1つの表面処理剤を含む組成物が、少なくとも1つの乳化剤を用いて水中で乳化される、請求項1に記載の方法。
【請求項１９】
前記粒状無機材料が、透明材料ではなく、特にガラスでない、請求項1に記載の方法。
【請求項２０】
前記プロセスステップa）〜c）によって得られたポリマーのX基が、疎水性表面を有するポリマーをもたらし；前記プロセスステップa）〜c）により得られたポリマーに、前記ポリマーの疎水性表面を分解する熱処理を施さない、請求項1に記載の方法。
【請求項２１】
前記プロセスステップa）〜c）によって得られたポリマーのX基が、疎水性表面を有するポリマーをもたらし；前記表面処理された粒状無機材料に、前記粒状無機材料に付着した前記ポリマーの疎水性表面を分解する熱処理を施さない、請求項1に記載の方法。
【請求項２２】
前記表面処理された粒状無機材料がか焼されない、請求項1に記載の方法。
【請求項２３】
前記表面処理された粒状無機材料および／または前記プロセスステップa）〜c）によって得られたポリマーが、300℃を超える温度で熱処理されない、請求項1に記載の方法。
【請求項２４】
前記ステップa）〜c）を含むプロセスが、金属アルコキシドを添加するその後のステップを含まない、請求項1に記載の方法。
【請求項２５】
前記少なくとも1つの表面処理剤を含む組成物に金属アルコキシドを添加しない、請求項1に記載の方法。
【請求項２６】
前記有機−無機ハイブリッドポリマーが、30nm未満、例えば1nm〜29nmまたは1nm〜20nmの平均粒径を有する、請求項1に記載の方法。
【請求項２７】
前記ステップa）〜c）により調製された有機−無機ハイブリッドポリマーが、前記少なくとも1つの表面処理剤の平均粒径の80％未満の平均粒径を有する他のポリマーに共有結合しない、請求項1に記載の方法。
【請求項２８】
請求項1〜27のいずれか一項に記載の方法によって得ることができる表面処理された粒状無機材料。
【請求項２９】
請求項28に記載の表面処理された粒状無機材料における、建築材料と混合して、または前記建築材料における添加剤としての使用であって、前記建築材料は、好ましくは、石こう、セメント、軽量コンクリート、モルタル、人造石、レンガ、プラスチック、複合材料、塗料、コーティング、熱可塑性フォーム、および熱硬化性フォームからなる群から選択される、使用。
【請求項３０】
請求項28に記載の前記表面処理された粒状無機材料を含む建築材料であって、前記建築材料は、好ましくは、石こう、セメント、軽量コンクリート、モルタル、人造石、レンガ、プラスチック、複合材料、塗料、コーティング、熱可塑性フォーム、および熱硬化性フォームからなる群から選択される、建築材料。
【請求項３１】
前記粒状無機材料の粒径分布（d50）が10nm〜30000ミクロンの範囲内である、請求項1に記載の方法。
【請求項３２】
前記表面処理される粒状無機材料を、少なくとも1つの表面処理剤を含む組成物と接触させる前に、前記無機粒子材料を水、またはメタノールもしくはエタノールなどの適切な有機溶媒にさらす、請求項1に記載の方法。
【請求項３３】
ステップa）が、下記一般式：(X-L-)nSi(-Y)4−nによって表されるシランの群から選択される1種のシランの加水分解および縮合によってポリマーを形成することを含む、請求項1に記載の方法。
【請求項３４】
前記有機−無機ハイブリッドポリマーが、完全縮合オリゴマーシルセスキオキサン、部分縮合オリゴマーシルセスキオキサン、非縮合オリゴマーシルセスキオキサン、またはそれらの任意の混合物の形態であり、但し、有機−無機ハイブリッドポリマーの全モル数で割った完全縮合オリゴマーシルセスキオキサンのモル数が1〜0．5の範囲内である、請求項1に記載の方法。
【請求項３５】
有機−無機ハイブリッドポリマーの総モル数で割った完全縮合オリゴマーシルセスキオキサンのモル数が1〜0．8の範囲内である、請求項34に記載の方法。
【国際調査報告】
2018528924.tif 000044
2018528924.tif 000045